(57)【要約】  画像キャプチャフィードバックのための実施例が開示される。いくつかの実施例において、コンピューティングシステムは、画像キャプチャ装置から第１の画像を受信し得るとともに、第１の画像に対するスコアを生成し得る。コンピューティングシステムは、動作に対する提案を、もし動作が行われたあとで画像キャプチャ装置が第２の画像をキャプチャするならば、第２の画像に対するスコアが第１の画像に対するスコアより良くなるように生成し得る。コンピューティングシステムは、ユーザに対する推奨される動作を出力装置に示し得る。他の実施例が開示され得るか及び／又は権利請求され得る。
2016537912.tif 000002
【特許請求の範囲】
【請求項１】
画像キャプチャフィードバックのためのシステムであって、
画像キャプチャ装置から画像を受信するための受信機ロジックと、
前記受信機ロジックに接続された、前記画像に対するスコアを生成するための評価ロジックと、
前記評価ロジックに接続された、動作に対する提案を、もし前記動作が行われたあとで前記画像キャプチャ装置が第２の画像をキャプチャするならば、前記第２の画像に対する前記スコアが前記画像に対する前記スコアより良くなるように生成するための提案ロジックと、
前記提案ロジック及び出力装置に接続された、前記出力装置に前記動作に対する前記提案を示すためのインジケータロジックとを備える、システム。
【請求項２】
前記評価ロジックが、
前記受信機ロジックに接続された、前記画像を処理して前記画像を代表するモデルを生成するためのモデルロジックであって、前記モデルが前記画像内の複数の位置における複数の特徴を含む、前記モデルロジックと、
前記画像に対する前記スコアを生成するために、スコアリング測定基準を前記モデルに適用するためのスコアリングロジックとを更に備える、請求項１に記載のシステム。
【請求項３】
前記画像キャプチャ装置が奥行きカメラであり、複数の位置における前記複数の特徴が、前記画像内の異なる奥行きに位置付けられた特徴を含む、請求項２に記載のシステム。
【請求項４】
前記奥行きカメラが異種カメラアレイを含む、請求項３に記載のシステム。
【請求項５】
前記評価ロジックが各特徴に対する局所背景サリエンスを生成するためのものであり、前記画像に対する前記スコアが、少なくとも１つの局所背景サリエンスに少なくとも部分的に基づいている、請求項３に記載のシステム。
【請求項６】
前記評価ロジックが各特徴の局所エリアと各特徴の局所背景エリアとの間の色相補性分析を実行するためのものであり、前記画像に対する前記スコアが、少なくとも１つの色相補性に少なくとも部分的に基づいている、請求項３に記載のシステム。
【請求項７】
前記複数の特徴が、前記画像において識別された顔又は身体を含む、請求項３に記載のシステム。
【請求項８】
前記画像キャプチャ装置が奥行きカメラであり、前記複数の特徴が、前記画像内の複数の奥行きにおけるリージョンの重心を含む、請求項３に記載のシステム。
【請求項９】
前記評価ロジックが前記画像を１つ又は複数の構成テンプレートと比較するためのものであり、前記画像に対する前記スコアが、前記比較に少なくとも部分的に基づいている、請求項３に記載のシステム。
【請求項１０】
前記画像に対する前記スコアが、前記画像と前記画像に最も似ている前記構成テンプレートとの間の前記比較に少なくとも部分的に基づいている、請求項９に記載のシステム。
【請求項１１】
前記１つ又は複数の構成テンプレートが、ユーザに選択された構成テンプレートを含む、請求項９に記載のシステム。
【請求項１２】
前記提案ロジックが、
前記評価ロジックに接続された、前記画像に対する前記スコアより良いスコアを有する目標モデルを生成するための候補ロジックと、
前記候補ロジックに接続された、前記モデルと前記目標モデルとの間の差異に基づいて前記動作を生成するための動作ロジックとを備える、請求項２に記載のシステム。
【請求項１３】
前記出力装置が表示装置であり、前記インジケータロジックが、物体の輪郭を、もし前記動作が実行されたならば前記物体が占有するであろう位置における前記画像の表示に表示することにより、前記動作に対する前記提案を示すためのものである、請求項１から請求項１２のいずれかに記載のシステム。
【請求項１４】
前記出力装置が表示装置であり、前記インジケータロジックが、物体に近接して、もし前記動作が実行されたならば前記物体が占有するであろう位置に向かう運動を表しているモーション軌跡を前記画像の表示に表示することにより、前記動作に対する前記提案を示すためのものである、請求項１から請求項１２のいずれかに記載のシステム。
【請求項１５】
前記出力装置が表示装置であり、前記インジケータロジックが、もし前記動作が実行されたならば前記画像キャプチャ装置が移動するであろう方向に対応するように選択された、前記画像の表示の端に、インジケータを表示することにより、前記動作に対する前記提案を示すためのものである、請求項１から請求項１２のいずれかに記載のシステム。
【請求項１６】
コンピューティング装置により実施される画像キャプチャフィードバックのための方法であって、
画像キャプチャ装置から画像を受信するステップと、
前記画像に対するスコアを生成するステップと、
動作に対する提案を、もし前記動作が行われたあとで前記画像キャプチャ装置が第２の画像をキャプチャするならば、前記第２の画像に対する前記スコアが前記画像に対する前記スコアより良くなるように生成するステップと、
出力装置に前記動作に対する前記提案を示すステップとを含む、方法。
【請求項１７】
前記画像に対するスコアを生成するステップが、
前記画像を処理して前記画像を代表するモデルを生成するステップであって、前記モデルが前記画像内の複数の位置における複数の特徴を含む、ステップと、
前記画像に対する前記スコアを生成するために、スコアリング測定基準を前記モデルに適用するステップとを含む、請求項１６に記載の方法。
【請求項１８】
動作に対する提案を生成するステップが、
前記画像に対する前記スコアより良いスコアを有する目標モデルを識別するステップと、
前記モデルと前記目標モデルとの間の差異を識別するステップと、
前記モデルと前記目標モデルとの間の前記の識別された差異に基づいて動作に対する提案を生成するステップとを含む、請求項１７に記載の方法。
【請求項１９】
前記出力装置が表示装置であり、前記動作に対する前記提案を示すステップが、
物体の輪郭を、もし前記動作が実行されたならば前記物体が占有するであろう位置における前記画像の表示に表示するステップを含む、請求項１６に記載の方法。
【請求項２０】
前記出力装置が表示装置であり、前記動作に対する前記提案を示すステップが、
物体に近接して、もし前記動作が実行されたならば前記物体が占有するであろう位置に向かう運動を表しているモーション軌跡を前記画像の表示に表示するステップを含む、請求項１６に記載の方法。
【請求項２１】
前記出力装置が表示装置であり、前記動作に対する前記提案を示すステップが、
もし前記動作が実行されたならば前記画像キャプチャ装置が移動するであろう方向に対応するように選択された、前記画像の表示の端に、インジケータを表示するステップを含む、請求項１６に記載の方法。
【請求項２２】
コンピューティング装置の１つ又は複数の処理装置により実行される場合に、前記コンピューティング装置に請求項１６から請求項２１のいずれかに記載の方法を実行させる命令を有するコンピュータプログラム。
【請求項２３】
画像キャプチャフィードバックのためのシステムであって、
画像キャプチャ装置から画像を受信するための手段と、
前記画像に対するスコアを生成するための手段と、
動作に対する提案を、もし前記動作が行われたあとで前記画像キャプチャ装置が第２の画像をキャプチャするならば、前記第２の画像に対する前記スコアが前記画像に対する前記スコアより良くなるように生成するための手段と、
出力装置に前記動作に対する前記提案を示すための手段とを備える、システム。
【請求項２４】
前記画像に対するスコアを生成するための前記手段が、
前記画像を処理して前記画像を代表するモデルを生成するための手段であって、前記モデルが前記画像内の複数の位置における複数の特徴を含む、手段と、
前記画像に対する前記スコアを生成するために、スコアリング測定基準を前記モデルに適用するための手段とを備える、請求項２３に記載のシステム。
【請求項２５】
前記画像キャプチャ装置が奥行きカメラであり、複数の位置における前記複数の特徴が、前記画像内の異なる奥行きに位置付けられた特徴を含む、請求項２４に記載のシステム。
【請求項２６】
請求項２２に記載のコンピュータプログラムを記憶したコンピュータ読取り可能な記憶媒体。
【発明の詳細な説明】
【技術分野】
【０００１】
本開示は、一般に画像キャプチャの分野に関し、より詳細には、画像キャプチャフィードバックに関する。
【背景技術】
【０００２】
熟練した写真家は、どのように彼らが画像を選択して、構成して、キャプチャするかを伝えるために、多くのトレーニング及び専門的知識を提示する。スチルカメラ及びビデオカメラのような画像キャプチャ装置（ＩＣＤ）の大部分の所有者は、熟練した写真家ではない。補正するために、いくつかの現存する装置は、画像がキャプチャされたあとで、ユーザが画像を編集すること（輝度又はカラー特性を調整すること、画像をトリミングすること、画像の部分をエアブラシで修整することなど）を可能にする。しかしながら、そのような編集技術の首尾よい使用は、トレーニング及び技術を必要とし、ほとんど良好な写真技術を開発することであり得るか、又は良好な写真技術を開発することより難しいかもしれない。したがって、ＩＣＤの急増にもかかわらず、高品質の画像はまだまれである。
【０００３】
実施例は、添付図面と関連した下記の詳細な説明により、容易に理解されるであろう。この説明を容易にするために、同様の参照符号は同様の構造部材を示す。実施例は、添付図面の図において、限定ではなく一例として例示される。
【図面の簡単な説明】
【０００４】
【図１】様々な実施例による、画像キャプチャフィードバックのために構成される実例となるコンピューティングシステムの構成図である。
【図２】様々な実施例による、図１のコンピューティングシステムにより実施され得る実例となる画像キャプチャフィードバックシステムの構成図である。
【図３】様々な実施例による、図２の画像キャプチャフィードバックシステムにより画像キャプチャフィードバックを提供するために処理され得る場面の実例となる画像を描写する。
【図４】様々な実施例による、図２の画像キャプチャフィードバックシステムにより生成された、図３の画像における様々なリージョン（region）を例示する。
【図５】様々な実施例による、図２の画像キャプチャフィードバックシステムにより生成された、図３の画像のモデルに含まれる特徴を例示する。
【図６】様々な実施例による、図２の画像キャプチャフィードバックシステムにより生成された、３次元の座標系における図３の画像のモデルを例示する。
【図７】様々な実施例による、局所背景サリエンス分析を実行するために図２の画像キャプチャフィードバックシステムにより使用される図３の画像のリージョン（region）とエリア（area）を例示する。
【図８】様々な実施例による、色相補性分析を実行するために図２の画像キャプチャフィードバックシステムにより使用される図３の画像のリージョンとエリアを例示する。
【図９】様々な実施例による、図２の画像キャプチャフィードバックシステムが画像を比較し得る様々な構成テンプレートを描写する。
【図１０】様々な実施例による、図２の画像キャプチャフィードバックシステムにより実行される図３の画像と関連付けられたモデルと選択構成テンプレートとの間の比較を例示する。
【図１１】様々な実施例による、２つの代替照明シナリオのもとで、図２の画像キャプチャフィードバックシステムにより判定された図３の画像における物体を例示する。
【図１２】様々な実施例による、図２の画像キャプチャフィードバックシステムにより生成された、図３の場面の実例となる目標モデル及び対応する目標画像を描写する。
【図１３】様々な実施例による、図２の画像キャプチャフィードバックシステムにより生成された、図３の場面の実例となる目標モデル及び対応する目標画像を描写する。
【図１４】様々な実施例による、図３の画像を改善するために実行され得る動作を示すために図２の画像キャプチャフィードバックシステムにより生成され得る様々な視覚表示を描写する。
【図１５】様々な実施例による、図３の画像を改善するために実行され得る動作を示すために図２の画像キャプチャフィードバックシステムにより生成され得る様々な視覚表示を描写する。
【図１６】様々な実施例による、図３の画像を改善するために実行され得る動作を示すために図２の画像キャプチャフィードバックシステムにより生成され得る様々な視覚表示を描写する。
【図１７】様々な実施例による、図３の画像を改善するために実行され得る動作を示すために図２の画像キャプチャフィードバックシステムにより生成され得る様々な視覚表示を描写する。
【図１８】様々な実施例による、図３の画像を改善するために実行され得る動作を示すために図２の画像キャプチャフィードバックシステムにより生成され得る様々な視覚表示を描写する。
【図１９】様々な実施例による、図３の画像を改善するために実行され得る動作を示すために図２の画像キャプチャフィードバックシステムにより生成され得る様々な視覚表示を描写する。
【図２０】様々な実施例による、画像キャプチャ装置の特性が調整される場合にどのように図３の場面が見え得るかを示すための、図２の画像キャプチャフィードバックシステムにより生成され得る視覚表示を描写する。
【図２１】様々な実施例による、画像キャプチャフィードバックのための実例となる処理のフローチャートである。
【発明を実施するための形態】
【０００５】
画像キャプチャフィードバックのための実施例が開示される。いくつかの実施例において、コンピューティングシステムは、画像キャプチャ装置（ＩＣＤ）から第１の画像を受信し得るとともに、第１の画像に対するスコアを生成し得る。コンピューティングシステムは、動作に対する提案を、もし動作が行われたあとでＩＣＤが第２の画像をキャプチャするならば、第２の画像に対するスコアが第１の画像に対するスコアより良くなるように生成し得る。コンピューティングシステムは、ユーザに対する推奨される動作を出力装置に示し得る。
【０００６】
最善の状態で、いくつかの現存するＩＣＤは、ユーザに、静的なガイダンス、通常は、ユーザが場面内の様々な物体を合わせる（align）ために選択し得る視野の上に重ねられた固定したグリッドを提供する。しかしながら、無頓着なユーザは、そのような静的なガイダンスが何のためのものであるか、又は、画像を改善するためにそれをどのように使用するか全く分からないかもしれない。さらに、そのような静的なガイダンスは、経験豊かなユーザが場面内の様々な物体を合わせるのを援助するだけかもしれず、ＩＣＤ設定値、照明、色、焦点、被写界深度、簡素性などのような画像の品質に影響を及ぼすかもしれない何百もの他の変数のうちのいずれに対しても何も援助を提供しない。
【０００７】
ここに開示された実施例の様々なものは、ユーザが場面をキャプチャしようと試みている間、画像を改善する方法についての動的なガイダンスを提供することにより、現存する画像キャプチャ技術及びシステムを改善し得る。特に、ここで説明された画像キャプチャフィードバック技術及びシステムは、ＩＣＤからの画像を分析し、そして画像を改善する動作に対する提案を生成し得る。推奨される動作は、ユーザによる動作（例えば、ＩＣＤを別の場所に移動すること、若しくはＩＣＤに関する設定値を変更すること）、又は、画像内の１つ若しくは複数の物体による動作（例えば、画像内の人物に左若しくは右に動くように要求する）であり得る。技術及びシステムは、その場合に、（例えば、推奨される動作又は別の動作が実行されたあとで）新しい画像を分析し得るとともに、適切であるように、更なる提案を提供し得る。
【０００８】
いくつかのそのような実施例は、ほとんど瞬時のフィードバックをユーザに提供することができ、その結果、ユーザは、場面からユーザの視線及び注意をそらさずに、又は、
使用説明書若しくは他の文書を閲覧するためにＩＣＤを置くことなく、又は、
ビューファインダを共有する腕の良い写真家を有することなく、画像を改善することができる。いくつかのそのような実施例は、写真の専門的知識のユーザのレベルに基づいて、カスタマイズ可能である。例えば、いくつかの実施例において、より自動化されたガイダンス（例えば、構成テンプレートの自動選択）が、初心者であることを示したユーザに提供され得る。いくつかの実施例において、明示的に選択されたガイダンス（例えば、ユーザに選択された構成テンプレートのアプリケーション）のみが、そのような明示的に選択されたガイダンスを望むことだけを示したユーザに提供され得る。画像キャプチャフィードバックシステムの多くの他の実施例、及びそのような実施例と関連付けられ得る利点が、ここで開示される。
【０００９】
下記の詳細な説明では、初めから終わりまで同等の符号が同等の部分を示し、詳細な説明に関して一部分を形成するとともに、一部分が実施され得る実例実施例として示される添付図面に対する参照が行われる。他の実施例が利用され得るとともに、本開示の範囲からはずれずに、構造的変更又は論理的変更が実行され得る、ということが理解されるべきである。したがって、下記の詳細な説明は、限定的に解釈されるべきではない。
【００１０】
様々な動作が、複数の別個の作用又は動作として、言い換えると、請求項に記載された主題を理解する際に最も役に立つ方法で、説明され得る。しかしながら、説明の順番は、これらの動作が必然的に順番に依存していることを暗示する、と解釈されるべきでない。特に、これらの動作は、提示された順番に実行されなくても良い。説明された動作は、説明された実施例と異なる順番で実行され得る。様々な追加の動作が実行され得るか、及び／又は、説明された動作が追加の実施例では省略され得る。
【００１１】
本開示の目的のために、語句“Ａ及び／又はＢ”は、（Ａ）、（Ｂ）、又は（Ａ及びＢ）を意味する。本開示の目的のために、語句“Ａ、Ｂ、及び／又はＣ”は、（Ａ）、（Ｂ）、（Ｃ）、（Ａ及びＢ）、（Ａ及びＣ）、（Ｂ及びＣ）、又は（Ａ、Ｂ、及びＣ）を意味する。
【００１２】
説明は、語句“一実施例において”又は“実施例において”を使用し、それは、それぞれ同じ実施例若しくは異なる実施例のうちの１つ又は複数を参照し得る。さらに、用語“備える”、“含む”、“有する”などは、本開示の実施例に関して使用されるように、同義である。ここで使用されるように、語句“連結される”は、２つかそれ以上のエレメントが直接的、物理的、若しくは電気的に接触していることか、又は、２つかそれ以上のエレメントが相互に直接的な接触状態にないが、それにも拘らず、（例えば、それら自身の変換を実行し得るか又はそれら自身の効果を有し得る１つ若しくは複数の中間エレメントを介して）相互に協力するか若しくは作用すること、を意味し得る。例えば、２つのエレメントは、両方のエレメントが共通のエレメント（例えば、メモリ装置）と通信する場合に、相互に連結され得る。ここで使用されるように、用語“ロジック”は、特定用途向け集積回路（ＡＳＩＣ）、電子回路、１つ若しくは複数のソフトウェア又はファームウェアプログラムを実行するプロセッサ（共有の、専用の、又はグループの）及び／若しくはメモリ（共有の、専用の、又はグループの）、組み合わせロジック回路、並びに／又は、説明された機能を提供する他の適切なコンポーネントのことを指し得るか、それらの一部であり得るか、又はそれらを含み得る。
【００１３】
図１は、様々な実施例による、画像キャプチャフィードバックのために構成される実例となるコンピューティングシステム１００を描写する。いくつかの実施例において、コンピューティングシステム１００は、ＩＣＤから画像を受信し、画像に対するスコアを生成し、動作に対する提案を、もし動作が行われたあとでＩＣＤが第２の画像をキャプチャするならば、第２の画像に対するスコアが画像に対するスコアより良くなる、例えば第２の画像に対するスコアがより高くなるように生成し、ユーザに対する推奨される動作を出力装置に示すように構成され得る。コンピューティングシステム１００のコンポーネントの間の動作の配分のいくらかの実例がここで論じられるが、しかし、より多い又はより少ないコンポーネント、及び動作の配分のあらゆる他の組み合わせが使用され得る。いくつかの実施例において、コンピューティングシステム１００は、図２を参照して下記で論じられる画像キャプチャフィードバックシステム２００として構成され得る。
【００１４】
コンピューティングシステム１００は、パーソナルコンピューティング装置１０２、ＩＣＤ１０４、及びリモートコンピューティング装置１０６を含み得る。パーソナルコンピューティング装置１０２、ＩＣＤ１０４、及びリモートコンピューティング装置１０６の各々は、画像キャプチャフィードバックコンポーネント（それぞれ、画像キャプチャフィードバックコンポーネント１１８、１１６、及び１１４として図１において例示される）を含み得る。画像キャプチャフィードバック及び他の動作は、適切であるように、コンピューティングシステム１００の画像キャプチャフィードバックコンポーネント１１４、１１６、及び１１８の間に分散され得る。パーソナルコンピューティング装置１０２、ＩＣＤ１０４、及びリモートコンピューティング装置１０６の間の画像キャプチャフィードバック動作の配分のいくらかの実例がここで論じられるが、しかし、より多い又はより少ないコンポーネントの他の組み合わせ、及び動作のあらゆる他の配分が使用され得る。例えば、いくつかの実施例において、画像キャプチャフィードバックコンポーネント１１４、１１６、及び１１８のうちの１つ又は複数は省略され得るとともに、全ての適切な画像キャプチャフィードバック動作（例えば、ここで説明された動作のうちのいずれか）は、残っている画像キャプチャフィードバックコンポーネントにより実行され得る。その中に組み込まれた本開示の画像キャプチャフィードバックの教示を除いて、パーソナルコンピューティング装置１０２、ＩＣＤ１０４、及びリモートコンピューティング装置１０６は、当業者に知られている広い範囲のそのような装置であり得る。限定ではない特定の実例がここで説明される。
【００１５】
コンピューティングシステム１００のコンポーネント間の通信は、通信経路１０８、１１０、及び１１２により可能にされ得る。通信経路１０８、１１０、及び１１２は、直接結合を介した、並びに／又は、パーソナルエリアネットワーク、ローカルエリアネットワーク、及び／若しくはワイドエリアネットワークを介した、有線通信経路及び／若しくは無線通通信経路をそれぞれ含み得る。パーソナルコンピューティング装置１０２、ＩＣＤ１０４、及びリモートコンピューティング装置１０６の各々は、ネットワークインタフェースカード、モデム、ワイファイ装置、ブルートゥース装置などのような、通信経路１０８、１１０、及び１１２をサポートするための適切なハードウェアを含み得る。いくつかの実施例において、図１において例示されたように、通信経路１０８、１１０、及び１１２は、コンポーネントの間の直接的な通信経路であり得る。ここで使用されるように、図１のコンピューティングシステム１００（又は、ここで開示されたあらゆるシステム若しくは装置）の２つのコンポーネントの間の“直接的な”通信経路への言及は、別の例示されたコンポーネントを通して経路を指定しないが、しかし、他の例示されない装置（例えば、ルータ及び／又はスイッチ）を通して経路を指定し得る通信経路のことを指し得る。
【００１６】
コンピューティングシステム１００に含まれる装置の各々は、処理装置及び記憶装置（図示せず）を含み得る。処理装置は、１つ又は複数の処理コア、ＡＳＩＣ、電子回路、プロセッサ（共有の、専用の、又はグループの）、組み合わせロジック回路、及び／又は電子データを処理するように構成され得る他の適切なコンポーネントのような、１つ又は複数の処理装置を含み得る。記憶装置は、（ソリッドステートドライブ、ディスケット、ハードドライブ、読み取り専用コンパクトディスク（ＣＤ−ＲＯＭ）などのような）あらゆる適切なメモリ又は大容量記憶装置を含み得る。コンピューティングシステム１００に含まれるコンピューティング装置の各々は、処理装置、記憶装置、及びそれぞれのコンピューティング装置に含まれるあらゆる他の装置を通信可能に連結するための１つ又は複数のバス（及び、適切であるならばバスブリッジ）を含み得る。記憶装置は、計算ロジックのセットを含むことができ、それは、コンピューティング装置の処理装置により実行された場合にコンピューティング装置にここで開示された技術のうちのいずれか、又はそのあらゆる部分を実施させ得る命令を記憶したコンピュータ読み取り可能な媒体の１つ若しくは複数のコピーを含み得る。いくつかの実施例において、計算ロジックは、図２を参照して下記で論じられたロジックのうちのいずれかを含み得る。
【００１７】
パーソナルコンピューティング装置１０２は、衣服、アクセサリ、又はユーザ（若しくは、着用者）の身体上に着用されるように構成される他の支持構造物に統合されるコンピューティング装置であり得る。装着型パーソナルコンピューティング装置１０２に対する適切な支持構造物の例は、特に、眼鏡、ヘッドセット、髪アクセサリ（例えば、ヘッドバンド若しくはバレット）、イヤフォン、宝石（例えば、ブローチ、イヤリング、若しくはネックレス）、リストバンド（例えば、腕時計）、ネックバンド（例えば、タイ、若しくはスカーフ）、衣類（例えば、シャツ、パンツ、ドレススカート、若しくはジャケット）、靴、ランヤード（lanyard）若しくは名札、コンタクトレンズ、又は、埋め込み型支持構造物を含み得る。いくつかの実施例において、パーソナルコンピューティング装置１０２は、（画像キャプチャ装置１０４として機能し得る）カメラ及びマイクロフォンを有する手首装着型コンピューティング装置であり得る。いくつかの実施例において、パーソナルコンピューティング装置１０２は、（画像キャプチャ装置１０４として機能し得る）カメラ及びマイクロフォンを有する眼鏡装着型コンピューティング装置であり得る。
【００１８】
パーソナルコンピューティング装置１０２は、デスクトップ若しくはスタンドアロンコンピューティング装置、又は、ポケット、バックパック、若しくは他のキャリングケースで運ぶように構成されるとともに、１つ又は複数のユーザの手による操作用に構成されるコンピューティング装置であり得る。パーソナルコンピューティング装置１０２として機能し得るコンピューティング装置の実例は、携帯電話、スマートフォン、他の携帯用の移動体通信装置、タブレット、電子ブックリーダ、携帯情報機器、ラップトップ、又は、他のそのようなコンピューティング装置を含む。パーソナルコンピューティング装置１０２（及び、ここで説明された他のコンポーネント）は単数において参照されるかもしれないが、あらゆる数のパーソナルコンピューティング装置がパーソナルコンピューティング装置１０２に含まれ得る（とともに、同様に、あらゆるコンポーネントが複数のそのようなコンポーネントを含み得る）。
【００１９】
例えば、パーソナルコンピューティング装置１０２により実行される画像キャプチャフィードバック及び他の動作は、パーソナルコンピューティング装置１０２上のアプリ又はプラグインにより制御され得る。いくつかの実施例において、パーソナルコンピューティング装置１０２は、２つかそれ以上のコンピューティング装置を含むことができ、そのうちの１つは、他のものより、より多くのコンピューティングリソース（例えば、処理能力、メモリ、及び／又は通信帯域幅）を有している。例えば、パーソナルコンピューティング装置１０２は、より大きなタブレットコンピューティング装置、及び、より小さな手首装着型又は眼鏡装着型コンピューティング装置を含み得る。そのような実施例において、より小さなコンピューティング装置により取得されて、事前に処理されたデータ（例えば、画像データ、音声データ、又は他のセンサデータ）は、更なる処理のために、より小さなコンピューティング装置からより大きなコンピューティング装置に送信され得る。
【００２０】
コンピューティングシステム１００は、ＩＣＤ１０４を含み得る。いくつかの実施例において、ＩＣＤ１０４は、１つ又は複数のカメラを含み得る。ここで使用されるように、用語“カメラ”は、静止画カメラ及びビデオカメラを含み得る。カメラは、アナログ又はデジタルであり得る。いくつかの実施例において、ＩＣＤ１０４は、高精細度ビデオをキャプチャし得る。いくつかの実施例において、ＩＣＤ１０４は、有線又は無線通信経路（例えば、それぞれ、経路１０８及び経路１１２）を通して、画像データ（例えば、ビデオデータ）をパーソナルコンピューティング装置１０２及び／又はリモートコンピューティング装置１０６に流すように構成され得る。いくつかの実施例において、ＩＣＤ１０４は、パーソナルコンピューティング装置１０２に局所的に接続される（か、又はパーソナルコンピューティング装置１０２と一体化される）ことができ、一方、他の実施例において、ＩＣＤ１０４は、パーソナルコンピューティング装置１０２から遠く離れているかもしれない（とともに、例えばパーソナルコンピューティング装置１０２の所有者又はユーザと異なる所有者又はユーザと関連付けられたパーソナルコンピューティング装置に統合されるかもしれない）。
【００２１】
ＩＣＤ１０４は、あらゆる撮像波長（例えば、可視光線又は赤外線）を使用し得る。いくつかの実施例において、ＩＣＤ１０４は、可視光線カメラ及び赤外線カメラを含み得るとともに、これらの装置によりキャプチャされた画像を結合し得るか、又は別々にそれらを扱い得る。いくつかの実施例において、ＩＣＤ１０４は、一定数の静止画像を連続的にキャプチャするように構成され得るとともに、音又は他のインジケータにより各画像をキャプチャする前にユーザに警報を出し得る。
【００２２】
ＩＣＤ１０４は、それぞれがコンピューティングシステム１００の異なるユーザと関連付けられた複数のＩＣＤを含み得る。例えば、（コンピューティングシステム１００上で動作する）ソーシャルネットワーキングサービスの各ユーザは、ユーザのスマートフォン又はタブレット（例えば、パーソナルコンピューティング装置１０２と同様に構成される）に統合された画像キャプチャ装置（例えば、ＩＣＤ１０４と同様に構成される）を有し得るとともに、下記で論じられるように、キャプチャされた画像を処理のためにリモートコンピューティング装置１０６に提供し得る。別の実例において、ＩＣＤ１０４は、複数のレンズが同じ被写体の複数の画像の同時のキャプチャを可能にするアレイカメラを含み得る。アレイカメラによってキャプチャされた各画像は、露光時間、焦点距離、ホワイトバランスなどにより異なり得る。ＩＣＤ１０４は、画像を結合するためにあらゆる既知の技術を実行するか、又は（例えば、コンピューティングシステム１００の他のコンポーネントと協同して）様々な画像ブラウジング経験を提供するように構成される処理装置を含み得る。
【００２３】
いくつかの実施例において、ＩＣＤ１０４は奥行きカメラを含み得る。奥行きカメラは、（例えば、異なる解像度、光学的性質、及び／又は他の特性を有している）異種のカメラのアレイを含み得るとともに、キャプチャされた場面の物体の奥行きに関する情報を提供し得る。いくつかの実施例において、奥行きカメラは、ステレオ又はマルチベースラインステレオを提供するように構成される２つかそれ以上のカメラを含み得る。いくつかのそのような実施例において、特徴（feature）（例えば、キャプチャされた場面におけるエレメント）は、各カメラにおいて識別され得るとともに、認識された特徴間の対応は、特徴の奥行きを判定するために分析され得る。いくつかの実施例において、奥行きカメラは、カメラ、及び特定のパターンの構造化された光又は縞模様の光を場面に照らすプロジェクタを含み得る。カメラによる場面におけるパターンの観測と結合された構造化された光の既知の幾何構造は、奥行きカメラが奥行き情報を判定することを可能にし得る。いくつかの実施例において、奥行きカメラは、複数のカメラ、及びランダムなテクスチュアパターンを場面に投影するプロジェクタを含み得る。キャプチャされた場面におけるテクスチャーポイントは、奥行きの推定を可能にする対応関係を識別するために複数のカメラにより分析され得る特徴になり得る。いくつかの実施例において、奥行きカメラは、信号が発射されるとともに信号が戻るためにかかる時間が測定されるタイムオブフライト（time-of-flight）アプローチを利用し得る。そのような奥行きカメラは、超音波センサ、レーザセンサ、及び他のセンサを使用し得る。いくつかの実施例において、奥行きカメラは、場面における既知の物理的次元の物体を認識するように構成され得るとともに、キャプチャされた画像におけるそれらの物体の大きさを観察することにより、それらの物体に対する奥行きを推定し得る。
【００２４】
コンピューティングシステム１００は、奥行きカメラにより生成されたデータに基づいて、場面の中の様々な奥行きにおいて１つ又は複数の特徴を有する場面のモデルを生成するように構成され得る。奥行きカメラからのデータを用いて生成され得る特徴の実例は、下記で論じられるように、特定の奥行きにおける物体の“質量”、及び特定の奥行きにおける全ての物体の“質量の中心”を含む。
【００２５】
リモートコンピューティング装置１０６は、パーソナルコンピューティング装置１０２及び／又はＩＣＤ１０４から遠く離れた、１つ若しくは複数のサーバ（例えば、“クラウド”コンピューティング構成に配置される）、又は、他のコンピューティング装置を含み得る。パーソナルコンピューティング装置１０２とリモートコンピューティング装置１０６との間の通信経路１１０、及び画像キャプチャ装置１０４とリモートコンピューティング装置１０６との間の通信経路１１２は、あらゆるリモートの有線又は無線通信プロトコルに従って設定され得る。いくつかの実施例において、リモートコンピューティング装置１０６は、パーソナルコンピューティング装置１０２又はＩＣＤ１０４より多くのコンピューティングリソース（例えば、処理能力、メモリ、及び／又は通信帯域幅）を有し得る。したがって、いくつかの実施例では、パーソナルコンピューティング装置１０２及び／又は画像キャプチャ装置１０４によりキャプチャされて、事前に処理されたデータ（例えば、画像に対するモデルのような画像データ）は、更なる処理のために、通信経路１１０及び／又は１１２を介してリモートコンピューティング装置１０６に送信され得る。いくつかの実施例において、リモートコンピューティング装置１０６は、図２を参照して下記で論じられる画像キャプチャフィードバック動作の大部分を実行し得る。いくつかの実施例において、リモートコンピューティング装置１０６は、ＩＣＤ１０４によりキャプチャされた画像を記憶するための記憶装置を含み得る。
【００２６】
上記で示されたように、いくつかの実施例において、リモートコンピューティング装置１０６は、複数のパーソナルコンピューティング装置（パーソナルコンピューティング装置１０２と同様に構成される）、及び／又は複数のＩＣＤ（ＩＣＤ１０４と同様に構成される）と通信し得る。リモートコンピューティング装置１０６は、各パーソナルコンピューティング装置又はＩＣＤに対して同様の処理及び記憶動作を実行し得る。例えば、リモートコンピューティング装置１０６は、複数の画像キャプチャ装置（画像キャプチャ装置１０４と同様に構成される）によりキャプチャされた画像を受信し得るとともに、これらの画像に関して画像キャプチャフィードバックを実行し得る（例えば、異なるＩＣＤの異なるユーザの各々に示されるべき異なる動作に対する提案を生成する）。リモートコンピューティング装置１０６は、リモートコンピューティング装置１０６と通信している複数のパーソナルコンピューティング装置又はＩＣＤのうちの異なるものに対して異なるリソース（例えば、各装置に対する異なるメモリパーティション又はデータベース）を充て得る。
【００２７】
ここに開示された画像キャプチャフィードバックシステムのいくつかの実施例では、コンピューティングシステム１００のコンポーネント間の通信経路のうちの１つ又は複数は含まれないかもしれない。例えば、いくつかの実施例において、ＩＣＤ１０４は、リモートコンピューティング装置１０６と通信経路１１２を介して直接通信しないかもしれないが、しかし、リモートコンピューティング装置１０６と、パーソナルコンピューティング装置１０２並びに通信経路１０８及び１１０を介して通信するかもしれない。
【００２８】
上記で示されたように、下記で説明される画像キャプチャフィードバック動作の数々は、コンピューティングシステム１００のコンポーネントの間で、あらゆる所望の配置で分散され得る。例えば、いくつかの実施例において、ここで説明された画像キャプチャフィードバック動作の全ては、ＩＣＤ１０４により実行され得る。いくつかの実施例において、ここで説明された画像キャプチャフィードバック動作の多くは、ＩＣＤ１０４により実行されることができ、一方、他の画像キャプチャフィードバック動作は、リモートコンピューティング装置１０６（それは、例えば、クラウドコンピューティング装置であり得る）により実行されることができる。いくつかの実施例において、ここで説明された画像キャプチャフィードバック動作のいくつか又は全ては、パーソナルコンピューティング装置１０２（それは、例えば、装着型コンピューティング装置であり得る）により実行され得る。要望どおりに、他の配置が使用され得る。
【００２９】
図２は、各種の実施例による実例となる画像キャプチャフィードバックシステム２００の構成図である。画像キャプチャフィードバックシステム２００は、入出力（Ｉ／Ｏ）装置２２８、処理ロジック２０２、及び記憶装置２２６を含み得る。画像キャプチャフィードバックシステム２００は、複数の画像キャプチャフィードバック動作のうちのいずれかを実行するように構成され得る。例えば、画像キャプチャフィードバックシステム２００は、ＩＣＤから画像を受信し、画像に対するスコアを生成し、動作に対する提案を、もし動作が行われたあとでＩＣＤが第２の画像をキャプチャするならば、第２の画像に対するスコアが画像に対するスコアより良くなるように生成し、ユーザに対する推奨される動作を出力装置に示すように構成され得る。
【００３０】
画像キャプチャフィードバックシステム２００は、各種の実施例に従って、図１のコンピューティングシステム１００により実施され得る。特に、画像キャプチャフィードバックシステム２００のコンポーネントは、コンピューティングシステム１００のコンポーネントのうちの１つ又は複数の間で、あらゆる適切な方法で分散され得る。画像キャプチャフィードバックシステム２００の複数のコンポーネントが図２において例示されるが、各種の実施例は、実行されるべき画像キャプチャフィードバック動作にふさわしいようにコンポーネントを省略し得る。例えば、画像キャプチャフィードバックシステム２００のいくつかの実施例は、照明分析用に構成されないかもしれないとともに、したがって、照明ロジック２３６を含まないかもしれない。
【００３１】
画像処理システム２００のＩ／Ｏ装置２２８は、ＩＣＤ１０４を含み得る。ＩＣＤ１０４は、図１を参照して上記で論じられた形式のうちのいずれかを採用し得る。例えば、ＩＣＤ１０４は、パーソナルコンピューティング装置１０２（図１）に含まれることができ、それは、画像データ（例えば、画像、及び／又は画像と関連付けられたモデル）を、通信経路１１０を通して無線でリモートコンピューティング装置１０６に流し得る。
【００３２】
Ｉ／Ｏ装置２２８は、入力装置２１０を含み得る。入力装置２１０は単数において参照されるかもしれないが、入力装置２１０は、それぞれが１つ又は複数の入力の様式に従って動作する複数の入力装置を含み得る。入力装置２１０は、例えば、タッチ入力、音声入力、ジェスチャ入力を受信し、そして、その入力を、画像キャプチャフィードバックシステム２００の他のコンポーネントに伝達され得る１つ又は複数の電気信号に変換するように構成され得る。入力装置２１０は、音声キャプチャ装置（例えば、様々な方向性に配置された１つ又は複数のマイクロフォン）、キーボード、マウスのようなカーソル制御装置、スタイラス、タッチパッド、バーコードリーダ、クイックレスポンス（ＱＲ）コードリーダ、無線周波数識別子（ＲＦＩＤ）リーダ、全地球的測位システム（ＧＰＳ）受信機、短距離無線受信機（例えば、ブルートゥース受信機）、１つ若しくは複数のセンサ（例えば、加速度計若しくは動き検出装置）、又は、あらゆる他の適切な入力装置を含み得る。
【００３３】
画像キャプチャフィードバックシステム２００は、出力装置２１８を含み得る。入力装置２１０を参照して上記で論じられたように、出力装置２１８は、単数において参照されるかもしれないが、任意の数の出力装置が出力装置２１８に含まれ得る。いくつかの実施例において、出力装置２１８は、表示装置又はプロジェクタのような画像出力装置を含み得る。出力装置２１８は、例えば、１つ又は複数の、ヘッドアップディスプレイ（すなわち、ユーザに彼又は彼女の典型的視点から目をそらすことを要求することなくデータを提供するために、光コリメータ構成に配置されるプロジェクタと、コンバイナとを含むディスプレイ）、コンピュータモニタ、プロジェクタ、タッチスクリーンディスプレイ、液晶ディスプレイ（ＬＣＤ）、発光ダイオードディスプレイ、又は、フラットパネルディスプレイを含み得る。いくつかの実施例において、出力装置２１８は、ＩＣＤ１０４に含まれるディスプレイであり得る。ＩＣＤ１０４に含まれるディスプレイは、ＩＣＤ１０４により現在若しくは以前にキャプチャされた場面、及び／又は、他の情報を表示し得る。いくつかの実施例において、出力装置２１８は、ＩＣＤ１０４を同様に含むパーソナルコンピューティング装置１０２（例えば、スマートフォン）に含まれるタッチスクリーンであり得る。いくつかの実施例において、出力装置２１８は、例えば１つ若しくは複数のイヤフォン（earphone）又はイヤホン（earbud）に取り付けられ得る１つ若しくは複数のスピーカ又は他のオーディオ変換器のような音声出力装置を含み得る。出力装置２１８に含まれ得る他の装置は、２次元若しくは３次元プリンタ、情報を他の装置に提供するための有線若しくは無線送信機、追加の記憶装置、振動装置のような触覚に基づく装置、又は、あらゆる適切な出力装置を含む。
【００３４】
画像キャプチャフィードバックシステム２００は、記憶装置２２６を含み得る。いくつかの実施例において、記憶装置２２６は、画像キャプチャフィードバックシステム２００のコンポーネントのうちのいずれかによるアクセスのために、ここで説明されたデータのいずれか（例えば、画像データ、モデルデータ、スコアリング測定基準、中間及び／又は最終の計算結果、画像スコアなど）を記憶するための１つ若しくは複数のデータベース又は他のデータ記憶構造を含み得る。例えば、記憶装置２２６は、１つ若しくは複数のハードドライブ、ソリッドステートロジック、又はポータブル記憶媒体のような、あらゆるメモリ装置を含み得る。記憶装置２２６は、処理ロジック２０２及び／若しくはＩ／Ｏ装置２２８のコンポーネントのうちのいずれか１つ又は複数に対して局所的であり得るか、又は、あらゆるコンポーネントから遠隔的であり得る。記憶装置２２６は、局所的なコンポーネント及び遠隔的なコンポーネントの両方を含み得る。記憶装置２２６は、異なる記憶タイプの記憶装置（例えば、ハードドライブ及びポータブル記憶装置）であり得る複数の異なる記憶装置を含み得る。
【００３５】
Ｉ／Ｏ装置２２８及び記憶装置２２６は、処理ロジック２０２に連結され得る。処理ロジック２０２は、Ｉ／Ｏ装置２２８のうちの１つ若しくは複数に対するデータ及び／又はＩ／Ｏ装置２２８のうちの１つ若しくは複数からのデータを受信するとともに、このデータをＩ／Ｏ装置２２８と処理ロジック２０２のコンポーネントのうちの１つ若しくは複数との間で転送するように構成される入力装置インタフェース（図示せず）を含み得る。処理ロジック２０２は、記憶装置２２６に対するデータ及び／又は記憶装置２２６からのデータを受信するとともに、このデータを記憶装置２２６と処理ロジック２０２のコンポーネントのうちの１つ若しくは複数との間で転送するように構成される記憶装置インタフェース（図示せず）を含み得る。処理ロジック２０２のコンポーネントが別々に例示されるが、それらのコンポーネントは、適切であるように、結合され得るか、又は分割され得るとともに、それぞれは、それ自身の分析を行う際に他のものにより生成された結果のうちの１つ又は複数を使用し得る。データは、物理的バス、長距離の有線通信経路、短距離若しくは長距離の無線通信経路、又は通信経路のあらゆる組み合わせを介して、処理ロジック２０２のコンポーネントの間で伝達され得る。
【００３６】
処理ロジック２０２は、受信機ロジック２０６を含み得る。いくつかの実施例において、受信機ロジック２０６は、ＩＣＤ１０４から画像を受信するように構成され得る。これらの画像は、ＩＣＤ１０４から直接受信され得るか、又は、メモリ（例えば、記憶装置２２６に含まれる）からアクセスされ得る。もしそれらの画像がまだ記憶されていないならば、受信機ロジック２０６は、記憶装置２２６内の記憶装置に画像を提供し得る。画像を受信する（とともに、画像に基づく提案された動作を示す）動作は、定期的な間隔又は非定期的な間隔で（例えば、入力装置２１０に含まれる加速度計又は他のセンサによるＩＣＤ１０４の動きの検出に応答して）キャプチャされた新しい画像と共に繰り返され得る。
【００３７】
受信機ロジック２０６により受信された画像は、画像キャプチャフィードバックシステム２００のユーザにとって興味がある場面をキャプチャし得る。例えば、図３は、下記で論じられるように、受信機ロジック２０６により受信され得るとともに、画像キャプチャフィードバックシステム２００の１つ又は複数の他のコンポーネントにより処理され得る場面３１６の実例となる画像３００を描写する。画像３００は、（頭部３１４、シャツ３１０、及びズボン３１２を有する）人物３０２、いくらかのプレゼント３０４、樹木３０６、並びに部屋３０８のような、場面３１６における複数の物体をキャプチャし得る。
【００３８】
図２に戻ると、処理ロジック２０２は、評価ロジック２１６を含み得る。評価ロジック２１６は、受信機ロジック２０６に連結され得るとともに、画像に対するスコアを生成するように構成され得る。評価ロジック２１６は、受信機ロジック２０６により画像が受信されると、又は、ガイダンスに対するユーザ要求（例えば、ユーザインタフェースにおけるヘルプボタン（図示せず）を押下することによる）に応えて、自動的に画像に対するスコアを生成し得る。いくつかの実施例において、評価ロジック２１６は、１つ又は複数の美的基準に従って画像の品質を代表するスコアリング測定基準を適用することによりスコアを生成し得る。スコアリング測定基準の多くの実例がここで説明されるとともに、あらゆる適切なスコアリング測定基準が評価ロジック２１６により提供され得る。例えば、いくつかの実施例において、評価ロジック２１６は、下記のスコアリング測定基準を適用することによりスコアを生成し得る。
【００３９】
【数１】
2016537912.tif 000003
【００４０】
ここで、ｈｉｓｔ（ｉｍａｇｅ、ａ：ｂ）は、色調値ａと色調値ｂとの間の画像の色調値のヒストグラムを示し、色調値１は白ピクセルを示すとともに、色調値０は黒ピクセルを示し、ａｒｇｍａｘ（ｈ）は、ｈの最大値をもたらす、ｈに対する引数を返す関数であり、ｔｈｒｅｓｈは、様々なアプリケーションに対してあらゆる適切な方法で選択され得る、１に近い所定のしきい値を表す。式（１）のスコアリング測定基準は、画像が露出過度でない場合（例えば、ａｒｇｍａｘ（ｈｉｓｔ（ｔｈｒｅｓｈ：ｌ））＜ｌの場合）か又は露出不足でない場合（例えば、ａｒｇｍａｘ（ｈｉｓｔ（ｔｈｒｅｓｈ：ｌ））＞ｔｈｒｅｓｈの場合）に、画像にスコア１を与えることにより、画像に“報酬を与える（reward）”とともに、そうでなければ、画像にスコア０を与えることにより、画像に“ペナルティを科す（penalize）”。式（１）のスコアリング測定基準は、評価ロジック２１６により提供され得るスコア生成技術を単に例示する。スコア生成技術の多くの追加及び代替の実例がここで説明される。
【００４１】
いくつかの実施例において、評価ロジック２１６は、モデルロジック２０８、及びスコアリングロジック２２２を含み得る。モデルロジック２０８は、受信機ロジック２０６に連結され得るとともに、受信機ロジック２０６により受信された画像を処理して、画像を代表するモデルを生成するように構成され得る。評価ロジック２１６は、下記で論じられるように、同様に、提案ロジック２３８に連結され得るとともに、（例えば、候補モデル又は目標モデルを通して）候補画像又は目標画像に対するスコアを生成するように構成され得る。スコアリングロジック２２２は、モデルロジック２０８に連結され得るとともに、画像に対するスコアを生成するために、モデルロジック２０８により生成されたモデルにスコアリング測定基準を適用するように構成され得る。いくつかの実施例において、モデルロジック２０８は、画像の内容を代表するデータを生成するあらゆる処理タスクを実行し得るとともに、スコアリングロジック２２２は、画像に対するスコアを生成するために、モデルロジック２０８により生成されたデータを使用し得る。例えば、評価ロジック２１６が式（１）のスコアリング測定基準を使用して画像に対するスコアを生成する実施例では、モデルロジック２０８は、画像を処理して画像（モデル）の色調値のヒストグラムを生成し得るとともに、スコアリングロジック２２２は、式（１）のスコアリング測定基準をヒストグラムに適用することにより、画像に対するスコアを生成し得る。
【００４２】
モデルロジック２０８は、あらゆる適切な次元数における画像のモデルを生成し得るとともに、あらゆる適切なレベルの細部を、場面における物体、及び場面をキャプチャするために使用されるＩＣＤ１０４に関するモデルに含め得る。いくつかの実施例において、モデルは、２次元、３次元、又は４次元であり得る。例えば、もし画像が空間的な奥行き情報を持たないビデオストリームであるならば、モデルロジック２０８は、２つの空間次元、及び１つの時間次元を有する３次元モデルを生成し得る。もし画像が奥行きカメラによりキャプチャされた静止画像であるならば、モデルロジック２０８は、３つの空間次元を有する３次元モデルを生成し得る。画像が奥行き情報を含まない実施例においてさえも、ＩＣＤ１０４はズーム機能を有している可能性があり、したがって、モデルロジック２０８により生成されるモデルは、ズーム機能を説明するために、第３の空間（奥行き）次元を含み得る。その代りに、モデルロジック２０８は、ズーム機能をＩＣＤ１０４の設定値のように扱うかもしれず、したがって、第３の空間次元をモデルに含めないかもしれない。モデルの次元は、受信機ロジック２０６により受信された画像から解決できる空間次元及び／又は時間次元の数、並びに、モデルを評価するために利用可能な処理リソースのような複数の要因に基づき得る（とともに、適切な量の時間内にここで説明された画像キャプチャフィードバック技術を実行するために、次元が多くなると、より多くのリソースを必要とする）。
【００４３】
モデルロジック２０８は、画像から、複数の異なる種類の情報のうちのいずれかを生成し得る。例えば、モデルロジック２０８は、画像の１つ又は複数のリージョンを生成し得る。リージョンは、画像における奥行きの特定の範囲と関連付けられ得るとともに、その奥行きの範囲に入るか又はほぼ入るキャプチャされた場面における物体を含み得る。いくつかの実施例において、画像は、奥行きカメラによりキャプチャされ得るとともに、１つ又は複数のリージョンは、異なる奥行きに対応するリージョンに画像を分割することにより生成され得る。例えば、図４は、画像３００（図３）に対して、モデルロジック２０８により生成される４つのリージョン４０２、４０４、４０６、及び４０８を描写する。各リージョンは、場面３１６内の１つ又は複数の物体と関連付けられている。図４において、リージョン４０２は人物３０２を含み、リージョン４０４は（人物３０２より画像においてより大きな奥行きに位置している）プレゼント３０４を含み、リージョン４０６は（プレゼント３０４より画像においてより大きな奥行きに位置している）樹木３０６を含み、そしてリージョン４０８は、（樹木３０６より画像においてより大きな奥行きに位置している）部屋３０８を含む。例えば、リージョンは、リージョンの中心を使用すること、又はリージョンの境界を使用することを含む複数の方法のいずれにおいても、位置と関連付けられている。
【００４４】
いくつかの実施例において、モデルロジック２０８により生成されるモデルは、画像の１つ又は複数の特徴を含み得る。ここで使用されるように、画像の“特徴”は、あらゆる首尾一貫したポイント、エリア、又は、画像のポイント若しくはエリアの集まりを含み得るとともに、画像における１つ又は複数の対応する位置と関連付けられ得る。特に、特徴は、画像によりキャプチャされた場面における物体に対応し得るとともに、対応する物体の位置と関連付けられ得る。特徴の位置は、画像に適合させた座標系（例えば、画像の１つの角を起点として備え、ピクセルで測定された距離を有する）、又は、いくつかの他の座標及び／若しくは距離系（例えば、場面におけるポイントに位置する起点を備え、場面の中のメートルで測定された距離を有する）を使用して表され得る。モデルロジック２０８は、モデルにおける複数の異なる特徴のうちのいずれかを生成し得る。いくつかの実施例において、特徴は、特定のリージョン若しくは他の特徴に含まれ得るか、又は、特定のリージョン若しくは他の特徴と関連付けられ得る。そのような実施例は、図５において例示され、それは、（便宜上、図５の左手側に再現される）図４のリージョン４０２、４０４、４０６、及び４０８のそれぞれに対してモデルロジック２０８により生成された追加の特徴を描写する。特徴の複数の実施例が、図５を参照してここで論じられる。
【００４５】
いくつかの実施例において、モデルロジック２０８は、画像における特定のエリアと関連付けられた重心特徴を生成し得る。重心特徴は、（リージョン（region）のような）エリア（area）の重心の位置を示し得る。ピクセルから成るデジタル画像において、関連するエリアにおける各ピクセルは、等しい“質量”を有するとして扱われ得るか、又は、ピクセルは、（例えば、赤、緑、青、又はチャネルの組み合わせにおけるピクセルの強度により）重み付けされ得る。いくつかの実施例において、リージョンに対する重心の位置は、画像モーメントを用いて計算され得る。いくつかの実施例において、画像のエリアの重心｛ｘ、ｙ｝は、下記式に従って計算され得る。
【００４６】
【数２】
2016537912.tif 000004
【００４７】
ここで、
【数３】
2016537912.tif 000005
であり、ｌ（ｘ、ｙ）は、（ｘ、ｙ）位置におけるピクセルの強度値である（とともに、ピクセルがリージョン内にあるならば強度は１に等しく、そうでないならば強度は０に等しい）。もしリージョンがシンプルな幾何学的形状（例えば、画像における顔の境界を示す長方形）であるならば、リージョンの重心は、既知の幾何的な関係を用いて位置付けられることができる。
【００４８】
いくつかの実施例において、重心特徴は、画像における単一の位置（例えば、重心の位置）により、又は、画像におけるエリアにより、表され得る。例えば、重心特徴は、重心位置に集中し得るとともに、サイズがエリアの“質量”に比例する（例えば、エリアにおける重み付けされた複数のピクセル又は重み付けされない複数のピクセルに比例する）画像の部分を占有し得る。図５では、リージョン４０２、４０４、４０６、及び４０８にそれぞれ対応して、重心特徴５０８、５１０、５１２、及び５１４が例示される。図５において例示された重心特徴は、関連するリージョンにおけるピクセルの数に比例する半径を有するとして示されるが、しかし、他の実施例は、重心特徴を重心の位置とだけ結び付けるかもしれない。
【００４９】
いくつかの実施例において、モデルロジック２０８は、画像においてキャプチャされた場面の物体を代表する１つ又は複数の物体特徴を生成し得る。モデルロジック２０８は、様々なタイプの物体を識別するとともに、物体が識別された場合に、対応する物体特徴を生成するように構成され得る。カスケード特徴分類（cascade  feature  classification）のようなあらゆる適切な機械学習技術が、画像における物体を識別するために使用され得る。例えば、モデルロジック２０８により識別され得る物体は、顔、身体（例えば、胴体、腕、脚、手）、乗物、動物、樹木、及び植物を含む。モデルロジック２０８が物体を識別する場合に、モデルロジック２０８は、画像における対応する位置（例えば、識別された物体の重心、又はあらゆる他の代表点又は代表エリア）にその物体に対する物体特徴を生成し得る。図５は、モデルロジック２０８により生成された、（リージョン４０２における人物３０２の頭部３１４に対応する）頭部特徴５０４、及び（リージョン４０２における人物３０２の身体に対応する）３つの身体特徴５０６を例示する。したがって、１つ又は複数の異なるタイプの特徴が、リージョンと関連付けられ得る。例えば、重心特徴５０８、並びに、物体特徴５０４及び５０６は、リージョン４０２と関連付けられた特徴セット５０２を形成し得る。利便性のために、特徴セット５０２は、単に特徴５０２と呼ばれるかもしれない。いくつかの実施例において、ここで論じられた特徴のうちのいずれもが、１つ又は複数の特徴ポイントにより、モデルにおいて表されることができ、それは、特徴全体に分散され得るか、及び／又は、特徴の興味のある境界若しくは地点に印を付け得る。
【００５０】
いくつかの実施例において、ユーザは、画像における特徴の存在、位置、及び／又はタイプを示すために入力装置２１０を使用し得る。例えば、ユーザは、画像における物体の輪郭を描くか、又は画像における物体を指し示すために、入力装置２１０に含まれるタッチスクリーンを使用し得るとともに、モデルロジック２０８は、ユーザ入力と関連付けられた特徴を生成することにより応答し得る。
【００５１】
図６は、モデルロジック２０８により生成された、図３の画像３００の実例の３次元モデル６００を例示する。特に、モデルロジック２０８は、ｘ軸６０４、ｙ軸６０６、及びｚ軸６０８を有する３次元の座標系６０２においてモデル６００を定義し得る。モデル６００の特徴（例えば、特徴並びに特徴セット５０２、５１０、５１２、及び５１４）は、画像３００における異なる奥行きと関連付けられることができ、それは、モデル６００において、異なるｚ座標として反映され得る。用語“場面特徴”が、ここで使用され得るとともに、キャプチャされた場面における物体と関連付けられたモデルにおける特徴を含み得る。図６において、モデル６００と関連付けられた全ての場面特徴のセットは、参照符号６２０によってラベル付される。
【００５２】
モデルロジック２０８は、異なる重みを異なる場面特徴に割り当て得る。これらの異なる重みは、画像に対するスコアがスコアリングロジック２２２により生成される場合にどのように特徴が扱われるかに影響を与え得る。いくつかの実施例において、より大きい視覚的な関心の特徴（例えば、顔、キャプチャされた場面のほとんどを占める物体、最もＩＣＤ１０４に近い物体）は、比較的高い重みを割り当てられ得るとともに、したがって、これらの特徴の美的側面は、より小さい視覚的な関心の特徴と比べると、（例えば、加重平均が計算される場合に）画像のスコアに関して更に強い影響力を有し得る。モデルロジック２０８は、同様に、様々な場面特徴に、評価された美的基準（例えば、局所背景サリエンス（local  background  salience：局所背景主要点）、色相補性、又は、下記で論じられた他のいずれかの美的基準）に応じて異なる重みを割り当て得る。いくつかの実施例において、ユーザは、（例えば、ユーザに示された特徴を参照して上記で論じられたように、タッチスクリーンによって、）特定の特徴が、“好みの”又は“焦点の”特徴であり、その特徴が高い重みを与えられ得ることを示し得る。重みは、線形若しくは非線形の組み合わせにおける、又はあらゆる他の適切な方法における係数として、関連する特徴からの寄与率を調整するために使用され得る。
【００５３】
モデルは、画像においてキャプチャされた場面における特定の物体を表さないが、しかし画像においてキャプチャされた場面に関係する他のエレメントを表す場面特徴を含み得る。例えば、いくつかの実施例において、モデルロジック２０８は、１つ又は複数の光源特徴を生成し、光源特徴をモデルに含めるように構成され得る。光源特徴は、キャプチャされた場面における物体に光が影響を与える方向を表し得るとともに、関連した位置及び他の特性（例えば、暖かさ又は拡散率）を有し得る。モデルロジック２０８は、とりわけ、画像における影の角度を識別するとともに、最大又は最小のコントラストを有する画像の部分を識別することにより、光源特徴の位置及び他の特性を推定し得る。図６は、モデル６００の一部として３次元の座標系６０２の中に配置される光源特徴６１２を例示する。光源特徴の追加の特性は、時刻、及び（全体の照明条件を代表し得る）天候を含み得る。
【００５４】
モデルは、ＩＣＤ１０４を代表する特徴を含むことができ、ここではＩＣＤ特徴と呼ばれる。ＩＣＤ特徴は、キャプチャされた場面に関して、場所（例えば、ｘ座標、ｙ座標、及び／又はｚ座標）、方向性（例えば、ＩＣＤ１０４の画像キャプチャの軸又はあらゆる他の軸の回りの回転）、並びに、ＩＣＤ設定値（例えば、ズーム、絞り、シャッタスピード、ＩＳＯ／フィルム感度、フラッシュ、被写界深度、ビデオのためのフレームレート、解像度、高ダイナミックレンジ（ＨＤ）設定値（例えば、多重露出に関係した）など）のような、ＩＣＤ１０４の複数の特性のうちのいずれかを表し得る。モデルロジック２０８は、モデルに、ＩＣＤ１０４の特性に対応する特性を有するＩＣＤ特徴を含め得る。いくつかの実施例において、ＩＣＤ１０４の特性は、ＧＰＳ又は加速度計センサのような、入力装置２１０に含まれるセンサにより少なくとも部分的に提供され得るか、又は、ＩＣＤ１０４の設定値を含むメモリ（例えば、記憶装置２２６）に記憶され得る。図６は、モデル６００の一部として３次元の座標系６０２の中に配置されるＩＣＤ特徴６１４を例示する。ＩＣＤ特徴６１４は、ＩＣＤ特徴６１４と同じ特性を有するＩＣＤが画像３００をキャプチャすることになるように、（座標系６０２における）位置、方向性、及び、１つ又は複数の追加の設定値を有し得る。
【００５５】
いくつかの実施例において、モデルロジック２０８により生成されたモデルは、キャプチャされた場面における物体とＩＣＤ１０４のできるだけ完全な表現であろうとするかもしれない。例えば、モデルロジック２０８は、場面における物体の全てを再現する、キャプチャされた場面の３次元モデルを生成し得る。他の実施例において、モデルロジック２０８により生成されたモデルは、場面の様々な抽象化の形式をとるかもしれない。例えば、モデルは、場面における対応する物体の実際の形状に対する近似として、１つ又は複数の特徴に対する球、円、長方形、平面、又は他の２次元若しくは３次元形状（例えば、頭部特徴に対する球）を含み得る。画像によってキャプチャされた場面のモデルを生成することにより、モデルロジック２０８は、（ＩＣＤ特徴によりモデルの中に示される）ＩＣＤ１０４の設定値及び他の特性における変化、又は、（例えば、場面特徴によりモデルの中に示されるような）場面内の物体の場所又は他の特性における変化が、キャプチャされた画像をどのように変更し得るかを判定し、それにより、画像を改良するために必要とされ得る動作に対する提案を生成するために、スコアリングロジック２２２及び提案ロジック２３８と協同して機能し得る。
【００５６】
どの動作が画像を改良することになるかを判定するために、評価ロジック２１６は、画像に対するスコアを生成し得る。スコアは、１つ又は複数の美的基準に従って、画像の美的価値を表し得る。特に、評価ロジック２１６は、画像に対するスコアを生成するために、モデルにスコアリング測定基準を適用するように構成され得るスコアリングロジック２２２を含み得る。いくつかの実施例において、スコアリングロジック２２２は、（それぞれが特定の美的基準に対応する）複数の異なるサブスコアリング測定基準を使用して、モデルを評価することができ、そして、これらの様々なサブスコアリング測定基準を最終のスコアリング測定基準に統合することができる。複数のそのような異なるサブスコアリング測定基準が、スコアリングロジック２２２に含まれ得る様々なコンポーネントに関して、ここから論じられるとともに、図３の実例画像３００を参照して例示される。
【００５７】
いくつかの実施例において、スコアリングロジック２２２は、サリエンスロジック（salience  logic）２３０を含み得る。サリエンスロジック２３０は、画像の様々な部分のサリエンス（salience：主要点）を生成するように構成され得る。概して、画像の部分のサリエンスは、画像のその部分が人間のビューアの注意を引き付けるであろう可能性を代表し得る。画像の最も顕著な部分は、例えば、異常な強度、色、及び／又は方向性を有する部分であり得る。サリエンスロジック２３０は、２０１２年５月３日に開示され、そして参照によりここに組み込まれた米国特許出願公開第２０１２／０１０６８５０号においてＫｏｃｈ等により説明された技術のような、画像における１つ又は複数の位置に関するサリエンス値を生成するための複数の既知の技術のうちのいずれかを実施し得る。特に、サリエンスロジック２３０は、画像における各位置ｋに関するサリエンス値を返すサリエンスマップｓａｌｉｅｎｃｅ（ｋ）を生成し得る。
【００５８】
サリエンスロジック２３０は、複数の方法のうちのいずれかにおいて、サリエンス値を更に処理するように構成され得る。いくつかの実施例において、サリエンスロジックは、モデルロジック２０８により生成された各特徴に対する局所背景サリエンスを生成するように構成され得る。ここで使用されるように、用語“背景（background）”は、特定の特徴以外の画像の部分のことを、それらの部分が特定の特徴に対応する物体よりＩＣＤ１０４から更に離れた物体を表すかどうかに拘わらず、指すことができる。特徴（feature）に対する局所背景サリエンス（local  background  salience：局所背景主要点）は、特徴に対して局所的であるが、しかし特徴を含まない画像の部分のサリエンス（salience：主要点）の最大の、平均的な、又は他の表現であり得る。この部分は、局所背景エリアと言われ得る。局所背景サリエンスは、気を散らさない背景に対して興味のある物体（例えば、顔）を構成することが多くの場合望ましいので、画像の美的品質に関連し得る。もし特徴が画像の顕著な部分の近くにあるならば、その特徴は、あまり視覚的に識別できないかもしれず、したがって、特徴を強調しようと試みる画像は、比較的低い品質の画像であるかもしれない。このように、特定の特徴に対する低い局所背景サリエンスは、より高い美的品質を示し得る。
【００５９】
いくつかの実施例において、特徴の局所背景エリアは、特徴と異なる奥行きにおける画像の部分を含み得る。例えば、図７は、様々な実施例による、局所背景サリエンス分析を実行するためにサリエンスロジック２３０により使用され得る画像３００のリージョン及びエリアを例示する。図７の左側において、それぞれ、背景エリア７０２、７０４、７０６、及び７０８は、重心特徴５０８、５１０、５１２、及び５１４に対して例示される。図７の実施例において、それぞれ、背景エリア７０２、７０４、７０６、及び７０８は、リージョン４０２、４０４、４０６、及び４０８の補集合（complement）に対応する。いくつかの実施例において、サリエンスロジック２３０は、全体の背景エリアを局所背景エリアとして使用し、全体の局所背景エリアのサリエンスを判定し、そして、局所背景サリエンスを判定するために、このサリエンスを統合し得る。
【００６０】
いくつかの実施例において、特徴の局所背景エリアは、特徴の半径の中の画像の部分を含み得る。例えば、半径は、例えば特徴のサイズ又はタイプにより異なり得る。例えば、図７の右側は、参考のための重心特徴５０８、５１０、５１２、及び５１４とともに、背景エリア７０２、７０４、７０６、及び７０８を例示する。いくつかの実施例において、それぞれ、重心特徴５０８、５１０、５１２、及び５１４のそれぞれと関連付けられた局所背景エリアは、それぞれ、重心特徴５０８、５１０、５１２、及び５１４の特定の半径の中の背景エリア７０２、７０４、７０６、及び７０８の部分であり得る。それぞれ、リージョン５０８、５１０、５１２、及び５１４のそれぞれに対する局所背景エリアは、７１２、７１４、７１６、及び７１８として例示される。
【００６１】
サリエンスロジック２３０は、あらゆる適切な方法で局所背景サリエンスを生成し得る。例えば、局所背景サリエンスは、画像の部分の圧縮性を判定するための既知の技術を用いて計算され得る。別の実例において、画像のモデルにおける各特徴ｉに対して、サリエンスロジック２３０は、下記の式に従って、局所背景サリエンスｂａｃｋｇｒｏｕｎｄ＿ｓａｌｉｅｎｃｅ（ｉ）を生成し得る。
【００６２】
【数４】
2016537912.tif 000006
【００６３】
ここで、ｓａｌｉｅｎｃｅ（ｋ）は、位置ｋにおけるサリエンス値であり、そしてＬＢＡ（ｉ）は、特徴ｉの局所背景エリアである。サリエンスロジック２３０は、各特徴に対する局所背景サリエンスをサリエンスサブスコアに統合し得る。いくつかの実施例において、サリエンスサブスコアは、下記の式に従って生成され得る。
【００６４】
【数５】
2016537912.tif 000007
【００６５】
ここで、Ｎは、モデルにおける特徴の総数である。いくつかの実施例において、スコアリングロジック２２２により画像に対して生成されたスコアは、サリエンスロジック２３０により生成された少なくとも１つの局所背景サリエンスに少なくとも一部分基づいているかもしれない。例えば、スコアリングロジック２２２により画像に対して生成されたスコアは、複数の特徴に対する統合された局所背景サリエンスに基づいているかもしれない。
【００６６】
いくつかの実施例において、スコアリングロジック２２２は、色相補性ロジック２３２を含み得る。色相補性ロジック２３２は、（モデルロジック２０８により生成される）各特徴の局所エリアと各特徴の局所背景エリアとの間の色相補性分析を実行するように構成され得る。色相補性分析は、特定の特徴（例えば、画像３００のシャツ３１０）の色が特定の特徴の背景に近い又は背景における物体の色と似ているか又は異なる場合を示し得る。より大きな相違点は、特定の特徴をより視覚的に明瞭にするかもしれず、それにより、より高い美的品質を示し得る。
【００６７】
いくつかの実施例において、特定の特徴がリージョンと関連付けられる場合に、色相補性ロジック２３２により使用される局所エリアはリージョンであり得る。いくつかの実施例において、特定の特徴の局所背景エリアは、特定の特徴に対応しない（例えば、特定の特徴の補集合）か、又は特定の特徴を含むリージョンに対応しない画像の全ての部分であるかもしれない。モデルロジック２０８は、色相補性ロジック２３２により使用するための、各特徴に対する局所背景エリアを生成するように構成され得る。いくつかの実施例において、特徴の局所背景エリアは、画像における特徴の補集合であり得る。いくつかの実施例において、特定の特徴の局所背景エリアは、特定の特徴が関連している（例えば、サリエンスロジック２３０を参照して上記で論じられたような）リージョンの補集合であり得る。いくつかの実施例において、特徴に対する局所背景は、サリエンスロジック２３０を参照して上記で論じられた局所背景エリアと同じ方法で定義され得る。
【００６８】
例えば、図８は、様々な実施例による、色相補性分析を実行するために画像キャプチャフィードバックシステム２００により使用され得る画像３００のリージョン及びエリアを例示する。図８の左側において、それぞれ、リージョン４０２、４０４、４０６、及び４０８は、関連する重心特徴５０８、５１０、５１２、及び５１４と共に例示される。いくつかの実施例において、色相補性ロジック２３２は、全体の結合されたリージョンを色相補性目的のための局所エリアとして使用し得る。いくつかの実施例において、それぞれ、重心特徴５０８、５１０、５１２、及び５１４のそれぞれと関連付けられた局所エリアは、それぞれ、重心特徴５０８、５１０、５１２、及び５１４の特定の半径の中の関連するリージョン４０２、４０４、４０６、及び４０８の部分であり得る。重心特徴５０８、５１０、５１２、及び５１４のそれぞれに対する局所エリアは、それぞれ、８０２、８０４、８０６、及び８０８として例示される。図８の右側において、重心特徴５０８、５１０、５１２、及び５１４のそれぞれの（図７を参照して上記で論じられた）背景エリア７０２、７０４、７０６、及び７０８が例示される。いくつかの実施例において、色相補性ロジック２３２は、全体の関連する背景エリアを色相補性目的のための局所背景エリアとして使用し得る。いくつかの実施例において、それぞれ、重心特徴５０８、５１０、５１２、及び５１４のそれぞれと関連付けられた局所背景エリアは、それぞれ、重心特徴５０８、５１０、５１２、及び５１４の特定の半径の中の関連する背景７０２、７０４、７０６、及び７０８の部分であり得る。それぞれ、重心特徴５０８、５１０、５１２、及び５１４のそれぞれに対する局所背景エリアは、８１２、８１４、８１６、及び８１８として例示される。
【００６９】
色相補性ロジック２３２は、あらゆる適切な方法で色相補性分析を実行し得る。例えば、いくつかの実施例において、画像のモデルにおける各特徴ｉに関して、色相補性ロジック２３２は、下記の式に従って、色相補性値ｃｏｌｏｒｃｏｍｐ（ｉ）を生成し得る。
【００７０】
【数６】
2016537912.tif 000008
【００７１】
ここで、ｂａｃｋｇｒｏｕｎｄ（ｉ）は、特徴ｉの局所背景エリアに対応する画像の部分であり、ｈｉｓｔ（ｉｍａｇｅ、ｊ）は、色調値ｊにおける画像のヒストグラムの値であり、ｌｏｃａｌａｒｅａ（ｉ）は、色相補性目的のための特徴ｉと関連付けられた局所エリアに対応する画像の部分であり、Ｃは、ヒストグラムにおける色調値の総数である。色相補性ロジック２３２は、各特徴に対する色相補性を色相補性サブスコアに統合し得る。いくつかの実施例において、色相補性サブスコアは、下記の式に従って生成され得る。
【００７２】
【数７】
2016537912.tif 000009
【００７３】
ここで、Ｎは、モデルにおける特徴の総数である。いくつかの実施例において、スコアリングロジック２２２により画像に対して生成されたスコアは、色相補性ロジック２３２により生成された少なくとも１つの色相補性に少なくとも一部分基づいているかもしれない。例えば、スコアリングロジック２２２により画像に対して生成されたスコアは、複数の特徴に対する統合された色相補性に基づいているかもしれない。
【００７４】
いくつかの実施例において、スコアリングロジック２２２は、構成ロジック２３４を含み得る。構成ロジック２３４は、画像を１つ又は複数の構成テンプレートと比較するように構成され得る。構成テンプレートは、構成ロジック２３４にアクセス可能な記憶装置２２６又は別の記憶装置に記憶され得る。構成テンプレートは、画像場面における物体の実際の配置又は配分が比較され得る所定の配置又は配分を表し得る。構成ロジック２３４は、構成テンプレートを画像と比較し（例えば、モデルのいくつか又は全てによって）、画像における場面特徴の配置が、所望の配置又は配分とどのくらい良く合う（align：そろう）かを判定し得る。例えば、周知の構成経験則は、“三分割法”として知られている。三分割法は、人間の視覚的注意が画像の黄金比分割にひかれる傾向があり、写真家は、したがって、場面の重要な物体をこれらの黄金比の点及び線に合わせるべきである、という認知理論を具体化する。構成テンプレートは、したがって、場面において物体がこれらの黄金比の点及び線と合っている画像に報酬を与える（reward）ことにより、この規則を反映し得る。
【００７５】
いくつかの実施例において、構成テンプレートは、画像と同じ次元を有し得るか又は画像の次元に適応するように調整可能であり得るとともに、所定の美的基準に従って、画像の特徴に対する所望の位置を示し得る。いくつかの実施例において、例えば、構成テンプレートは、間隔［０、１］におけるテンプレート値を画像における各ピクセルと関連付け得る。画像のモデルにおける場面特徴に対応するピクセルは、関連するテンプレート値により調整され得る。この方法において、テンプレート値が高い（例えば、１に近い）エリアにおける場面特徴に対応するピクセルは、テンプレート値が低い（例えば、０に近い）エリアにおける特徴に対応するピクセルより小さく弱められることになる。調整されたピクセル値を加算するか又はそうでなければ合計することは、モデルにおける特徴（例えば、場面特徴）が、高い値を有するテンプレートのエリアとどのくらい良く合うかを反映し得る。
【００７６】
例えば、図９は、様々な実施例による、画像キャプチャフィードバックシステム２００が画像を比較し得る様々な構成テンプレート９０２〜９４６を描写する。構成テンプレート９０２〜９４６の白い部分は、高いテンプレート値（例えば、１に近いテンプレート値）を示すことができ、一方、構成テンプレート９０２〜９４６の黒い部分は、低いテンプレート値（例えば、０に近いテンプレート値）を示すことができる。上記で論じられたように、特定のピクセルに対するテンプレート値は、画像のモデルにおける場面特徴が、構成テンプレートにより表された“所望の”構成とどのくらい良く合うかを判定するために、画像のモデルにおける対応するピクセルに適用され得る重み付けを表し得る。図１０は、モデル６００の場面特徴６２０（図６、便宜上、図１０の上端に２次元で複製される）と、構成テンプレート９２６、９３２、及び９４２（図１０の左側に複製される）との間の比較を例示する。図１０の右側の比較１００２、１００４、及び１００６により示されたように、場面特徴６２０は、構成テンプレート９２６及び９３２の白いリージョンと十分に合わないかもしれないが、しかし、構成テンプレート９４２の白いリージョンとより良く合うかもしれない。
【００７７】
いくつかの実施例において、構成ロジック２３４は、画像と最も似ている構成テンプレートを識別し得る。画像に対してスコアリングロジック２２２により生成されたスコアは、その場合に、画像と、画像と最も似ているとして識別された構成テンプレートと間の比較に少なくとも一部分基づいているかもしれない。いくつかの実施例において、ユーザは構成テンプレートを選択し得るとともに、画像に対してスコアリングロジック２２２により生成されたスコアは、画像と、ユーザにより選択された構成テンプレートとの間の比較に少なくとも一部分基づいているかもしれない。いくつかの実施例において、ユーザは、（例えば、より進歩的なユーザに対する）所望の構成テンプレートを選択するための選択肢を有し得るか、又は画像キャプチャフィードバックシステム２００が１つ又は複数の構成テンプレートを自動的に評価することを可能にし得る。
【００７８】
構成ロジック２３４は、あらゆる適切な方法で画像を１つ又は複数の構成テンプレートと比較し得る。例えば、いくつかの実施例において、構成ロジック２３４は、下記の式に従って、構成サブスコアｃｏｍｐｏｓｉｔｉｏｎ＿ｓｕｂｓｃｏｒｅ（ｉｍａｇｅ）を計算し得る。
【００７９】
【数８】
2016537912.tif 000010
【００８０】
ここで、ｔｅｍｐｌａｔｅ（ｉ、ｊ）は、間隔［０、１］にあるとともに、ピクセルｊにおける構成テンプレートｉの値を表し、ｆｅａｔｕｒｅｐｉｘ（ｊ）は、もし画像内のピクセルｊがモデル内の特徴に対応するならば１の値を有し、そうでなければ０の値を有する２値関数であり、ｓｕｍ（ｔｅｍｐｌａｔｅ（ｉ、：））は、テンプレートｉのテンプレート値の全ての和であり、Ｐは、画像内のピクセルの総数であり、そしてＱは、構成テンプレートの総数である。この方法において、構成ロジック２３４は、式（８）における和を最大限にし、したがって画像における特徴と最も良く合う構成テンプレートを識別し得るとともに、画像とこの“最も良い”構成テンプレートとの間の整合に基づく構成サブスコアを生成し得る。画像に対してスコアリングロジック２２２により生成されたスコアは、１つ又は複数の構成テンプレートと、構成ロジック２３４により生成された画像（例えば、モデル）との間の比較に少なくとも一部分基づいているかもしれない。
【００８１】
いくつかの実施例において、スコアリングロジック２２２は、照明ロジック２３６を含み得る。照明ロジックは、１つ又は複数の所定の照明基準に従って、画像における照明条件の美的品質を評価するように構成され得る。いくつかの実施例において、画像における照明条件は、（例えば、図６の光源特徴６１２のような光源特徴を参照して上記で論じられたように）モデルの生成の一部分として、モデルロジック２０８により生成され得る。照明ロジック２３６は、画像がキャプチャされた時刻、キャプチャされた場面内の様々な物体に関する照明階調度、又は画像の美的品質に関係する他の照明条件を推定するために、画像における照明条件を分析するように構成され得る。例えば、いくつかの実施例において、照明ロジック２３６は、人間の顔に対して強い後方又は前方照明角度が存在する画像に、低い美的品質を割り当て得る。
【００８２】
図１１は、モデルロジック２０８により生成された２つの代替照明シナリオのもとでの（図３の画像３００からの）人物３０２の画像を例示する。例えば、モデルロジック２０８は、モデル６００内の光源特徴６１２を移動する、光源特徴６１２の方向を再設定する、若しくはそうでなければ光源特徴６１２の特性を変更することにより、又は、１つ若しくは複数の追加の光源特徴を加えることにより、これらの実例となる人物の画像を生成し得る。シナリオ１１０２において、人物３０２は、ＩＣＤ１０４と光源との間に位置しているかもしれない。シナリオ１１０４において、光源は、人物３０２とＩＣＥ１０４の両方の側に位置しているかもしれない。キャプチャされた場面における物体のモデルを使用することにより、モデルロジック２０８は、キャプチャされた場面における物体が照らされる方向に関する照明の変化の影響を判定し得る。照明ロジック２３６は、その場合に、最初の照明条件、及び／又は変更された照明条件を評価し得る。
【００８３】
照明ロジック２３６は、あらゆる適切な方法で画像における照明条件を評価し得る。例えば、いくつかの実施例において、照明ロジック２３６は、下記の式に従って、照明サブスコアｌｉｇｈｔｉｎｇ＿ｓｕｂｓｃｏｒｅ（ｉｍａｇｅ）を計算し得る。
【００８４】
【数９】
2016537912.tif 000011
【００８５】
ここで、ｌｉｇｈｔｉｎｇ＿ｃｏｎｄｉｔｉｏｎ（ｉ、ｊ）は、画像のモデルにおける特定の特徴ｊに関しての特定の照明条件ｉに対するスコアの値であり、ＬＣは、照明ロジック２３６により評価された照明条件の総数であり、そしてＮは、モデルにおける特徴の総数である。モデルにおける全ての特徴は、必ずしも照明条件に関連するとは限らないかもしれず、したがって、これらの特徴の照明サブスコアに対する貢献は、ゼロである場合、又は小さい場合がある。特定の照明条件に対するスコアを生成するための３つの異なる技術の実例が、式（１０）から（１２）により下記で与えられる。
【００８６】
【数１０】
2016537912.tif 000012
【００８７】
【数１１】
2016537912.tif 000013
【００８８】
【数１２】
2016537912.tif 000014
【００８９】
ここで、ｏｐｔ＿ａｎｇｌｅ（ｉ）は、特徴ｉに入射する照明の最適な又は所望の角度であり、ｉｄｅｎｔｉｆｉｅｄ＿ａｎｇｌｅ（ｉ）は、（モデルロジック２０８により識別された）画像における特徴ｉに対する照明の入射角であり、ｏｐｔ＿ｄｉｆｆｕｓｅ（ｉ）は、特徴ｉに入射する照明の最適な又は所望の拡散率であり、ｉｄｅｎｔｉｆｉｅｄ＿ｄｉｆｆｕｓｅ（ｉ）は、（モデルロジック２０８により識別された）画像における特徴ｉに入射する照明の拡散率であり、ｏｐｔ＿ｗａｒｍｔｈ（ｉ）は、特徴ｉに入射する照明の最適な又は所望の暖かさであり、そしてｉｄｅｎｔｉｆｉｅｄ＿ｗａｒｍｔｈ（ｉ）は、（モデルロジック２０８により識別された）画像における特徴ｉに入射する照明の暖かさである。画像に対してスコアリングロジック２２２により生成されたスコアは、照明ロジック２３６により生成された画像における照明条件の評価に少なくとも一部分基づいているかもしれない。
【００９０】
照明条件は、多くの追加の方法のうちのいずれかで評価され得る。例えば、もし場面における物体の表面幾何構造及び材料特性が知られているならば、照明ロジック２３６は、ＩＣＤ１０４と１つ又は複数の光源との間の角度に関する情報を使用して、スペキュラハイライトを推定し、そのようなハイライト、又は、好ましくないタイプ若しくは量のそのようなハイライトを含む画像にペナルティを課すことができる。
【００９１】
上記で示されたように、スコアリングロジック２２２は、１つ又は複数のサブスコアを総合的なスコアリング測定基準に統合し、総合的なスコアリング測定基準を使用して画像に対するスコアを生成するように構成され得る。サブスコアの複数の組み合わせのうちのいずれもが、画像に対してスコアを生成するために使用され得る。例えば、いくつかの実施例において、スコアリングロジック２２２は、下記の式に従って、画像に対するスコアを生成し得る。
【００９２】
【数１３】
2016537912.tif 000015
【００９３】
ここで、ｓｕｂｓｃｏｒｅ（ｉ）は、式（１３）のスコアリング測定基準に統合されたｉ番目のサブスコア（例えば、ここで説明されたサブスコアのうちのいずれか）を示し、ｗ（ｉ）は、スコアリングロジック２２２が、サブスコアを画像に対するスコアに統合する場合に、様々なサブスコアに多少の重要度を割り当てることを可能にする、ｓｕｂｓｃｏｒｅ（ｉ）と関連付けられた重みである。
【００９４】
処理ロジック２０２は、画像に対するスコアを使用して、画像に関して改善するための動作に対する提案を生成し得る。特に、処理ロジック２０２は、提案ロジック２３８を含み得る。提案ロジック２３８は、評価ロジック２１６と連結され得るとともに、評価ロジック２１６により生成された画像に対するスコアに基づいて、動作に対する提案を生成するように構成され得る。提案ロジック２３８は、もし動作が行われたあとでＩＣＤ１０４が第２の画像をキャプチャしたならば、評価ロジック２１６により第２の画像に対して生成されたスコアが評価ロジック２１６により上記画像に対して生成されたスコアより良くなるように、提案を生成し得る。すなわち、提案ロジック２３８により生成される提案は、評価ロジック２１６により適用されたスコアリング測定基準に埋め込まれた美的基準に基づいて、上記画像より“更に良い”画像をもたらすであろう提案である。下記の討論において、最初に処理された画像は“最初の”画像と言われることができ、上記画像を、（例えば、提案ロジック２３８からの提案に基づいて）最初の画像よりあとでキャプチャされ得る第２の画像と区別する。最初の画像のモデルは、“最初の”モデルと言われ得るとともに、最初のモデルの特徴は、“最初の”特徴と言われ得る。
【００９５】
いくつかの実施例において、提案ロジック２３８は、候補ロジック２１２、及び動作ロジック２１４を含み得る。候補ロジック２１２は、評価ロジック２１６に連結され得るとともに、（例えば、最初のモデルに基づいて）評価ロジック２１６により生成された最初の画像に対するスコアより良いスコアを有する目標モデルを生成するように構成され得る。いくつかの実施例において、候補ロジック２１２は、ＩＣＤ特徴（例えば、場所、方向性、又は設定値）を調整する、及び／又は最初のモデルにおけるそれらの値からの場面特徴（例えば、物体又は光源に対応する特徴の場所）のうちのいずれかを調整するとともに、調整された特性を用いてキャプチャされた画像が最初の画像に対するスコアより良いスコアを有しているであろうかどうかを判定することにより、この目標モデルを生成し得る。これらの調整された特徴は、“候補”特徴と言われ得るとともに、“候補”モデルを一緒に形成し得る。
【００９６】
候補ロジック２１２は、候補場面特徴の候補ＩＣＤ特徴によりキャプチャされた画像が何のように見えるかを判定するために候補ロジック２１２により使用可能な１つ若しくは複数の物理的及び／又は光学的な規則を含み得る。この画像は、“候補”画像と言われ得る。例えば、候補ロジック２１２は、候補ＩＣＤ特徴のイメージング軸（imaging  axis）に垂直である平面（例えば、候補ＩＣＤ特徴の被写界深度に関連する距離に位置付けられた平面）上にモデルの候補場面特徴を投影し得るとともに、候補画像を生成するために、必要に応じて、候補ＩＣＤ特徴の他の設定値（例えば、カラーフィルタ及び絞り設定値）を用いてその投影をフィルタ処理し得る。候補ロジック２１２は、候補画像を処理するとともに、上記で説明された技術を使用して候補画像に対するスコアを生成し得る評価ロジック２１６に対して、この候補画像を提供するように構成され得る。評価ロジックは、候補画像が最初の画像より高いスコアを有しているかどうか、そして、したがって、動作に対する提案を生成するために候補モデルが使用されるべきであることを判定し得る候補ロジック２１２に対して、このスコアを提供し得る。提案ロジック２３８が提案を生成し得る候補モデルは、“目標”モデルと言われ得るとともに、目標モデルと関連付けられた画像は、“目標”画像と言われ得る。
【００９７】
いくつかの実施例において、候補ロジック２１２は、場面内の物体とＩＣＤ１０４の両方の調整を可能にすることにより画像のスコアを最適化する目標モデルを生成しようとする最適化技術を（評価ロジック２１６と協同して）実行し得る。例えば、候補ロジック２１２は、下記の式に従って、この最適化を実行し得る。
【００９８】
【数１４】
2016537912.tif 000016
【００９９】
式（１４）（及び、下記の式（１５）と（１６））において示されたように、候補ロジック２１２は、物理的制約条件を前提とした目標モデルを識別するように構成され得る。例えば、大部分のユーザが恐らく身長７フィート未満であるので、ＩＣＤ１０４が地上８フィートに位置付けられることを必要とする目標モデルはふさわしくないであろうとともに、したがって考察されるべきでない。候補ロジック２１２は、ユーザが地面に近づく、若しくは不快な角度でＩＣＤ１０４を操作するための限られた能力、ＩＣＤ１０４の設定値における制限（例えば、制限された焦点距離及びシャッタスピード）、場面内の物体の可動性に関する制限（例えば、ビルディング又は他の大きな物体は容易に移動可能ではないかもしれない）、及び／又は、追加の物体若しくはサポートするエレメントを場面内に含める能力に関する制限（例えば、追加の光源の非可用性）、のような、そのような追加の制約条件によって設定され得るとともに、適切な目標モデルを識別する場合に、そのような制約条件を尊重し得る。例えば、これらの制約条件は、記憶装置２２６に記憶されることができ、そして、画像キャプチャフィードバックシステム２００の“進歩的”モードにおいてユーザにより明白に列挙され得るか、又はユーザの介入なしにデフォルトで課され得る。
【０１００】
いくつかの実施例において、候補ロジック２１２は、場面内の物体の調整ではなくＩＣＤ１０４のみの調整を可能にすることにより画像のスコアを最適化する目標モデルを生成しようとする最適化技術を（評価ロジック２１６と協同して）実行し得る。そのような実施例は、例えばＩＣＤ１０４は容易に動かされるかもしれないが、しかし、場面内の物体はそうではないかもしれない、自然写真撮影の環境において適切であり得る。例えば、候補ロジック２１２は、下記の式に従って、この最適化を実行し得る。
【０１０１】
【数１５】
2016537912.tif 000017
【０１０２】
いくつかの実施例において、候補ロジック２１２は、ＩＣＤ１０４の調整ではなく場面内の物体のみの調整を可能にすることにより画像のスコアを最適化する目標モデルを生成しようとする最適化技術を（評価ロジック２１６と協同して）実行し得る。そのような実施例は、ＩＣＤ１０４は固定したカメラであり、場面がより簡単に再配置され得る、ポートレートスタジオの環境において適切であり得る。例えば、候補ロジック２１２は、下記の式に従って、この最適化を実行し得る。
【０１０３】
【数１６】
2016537912.tif 000018
【０１０４】
いくつかの実施例において、候補ロジック２１２は、式（１４）、（１５）、及び（１６）のうちのいずれかに従って、ここで論じられたスコアリング測定基準のうちのいずれかの最大値又は極大値を達成する候補場面及びＩＣＤ特徴を有する候補モデルを生成しようと試み得る。あらゆる所望の最適化規準を満たすとともに提案が基づくべきである候補モデルは、“目標”モデルと言われ得るとともに、関連する候補画像は、“目標”画像と言われ得る。いくつかの実施例において、目標モデルは、局所的又は全体的な最適化規準を満たす必要がなく、その代りに、目標モデルは、目標モデルが最初のモデルより良いスコアと関連付けられているかぎり、最初のモデルと異なる少なくとも１つの特徴を有するあらゆるモデルであり得る。いくつかの実施例において、より良い得点は、より高い得点を意味し得る。
【０１０５】
例えば、候補ロジック２１２は、（例えば、式（１４）、（１５）、及び（１６）のうちのいずれかを実施するために、）焼きなまし法（simulated  annealing）、勾配降下（gradient  descent）、又は遺伝的アルゴリズムのような、目標モデルを識別するためのあらゆる適切な数値又は他の計算手法を使用し得る。いくつかの実施例において、候補ロジック２１２は、最初のモデルの１つ又は複数の特徴を乱すことにより候補モデルを生成し、候補画像が最初の画像より良いスコアを有しているかどうかを判定するために対応する候補画像を評価し、もし所望の最適化規準が満たされているならば、候補モデルを目標モデルとして識別し得る。
【０１０６】
図１２から図１３は、図２の画像キャプチャフィードバックシステムにより生成された、実例となる目標モデル、及び図３の場面３１６の対応する目標画像を描写する。目標モデル１２００において、ＩＣＤ特徴６１４は、モデル６００におけるＩＣＤ特徴６１４の場所と比較して、ｙ−ｚ平面の方へシフトされた。（目標モデル１２００に対応する）その結果生じる目標画像１２０２は、画像１２０２における物体３０２、３０４、及び３０６が、画像３００における物体３０２、３０４、及び３０６の場所と比較して右にシフトされたことを例示する。目標画像１２０２は、画像３００と比較して１つ又は複数の改善された美的品質（例えば、構成テンプレートとのより良い整合）を有し得る。
【０１０７】
目標モデル１３００において、ＩＣＤ特徴６１４は、モデル６００におけるＩＣＤ特徴６１４の場所と比較して、ｙ−ｚ平面から離れて、ｘ−ｙ平面の方へシフトされた。（目標モデル１３００に対応する）その結果生じる目標画像１３０２は、目標画像１３０２における物体３０２、３０４、及び３０６が、ＩＣＤ特徴６１４の場所の変化に起因して、物体３０２、３０４、及び３０６が画像３００に現れるのと異なって配置されることを例示する。目標画像１３０２は、画像３００と比較して１つ又は複数の改善された美的品質（もしシャツ３１０がおおよそ樹木３０６と同じ色であるならば、例えば、より良い色相補性）を有し得る。他の実施例において、目標モデルに場面を合わせることは、ＩＣＤ特徴６１４の特性を変えることの代わりに、又はＩＣＤ特徴６１４の特性を変えることに加えて、場面内の物体のうちの１つ又は複数を動かすことを必要とし得る。
【０１０８】
一度候補ロジック２１２が適切な目標モデルを識別すると、（候補ロジック２１２に連結され得る）動作ロジック２１４は、最初のモデルと目標モデルとの間の（複数の）差異を使用して、動作に対する提案を生成し得る。いくつかの実施例において、動作ロジック２１４は、目標ＩＣＤ特徴の特性をＩＣＤ特徴の特性と比較し得るとともに、特性の間の差異を使用して、動作提案を生成し得る。特に、提案は、ＩＣＤ１０４の特性を、より目標ＩＣＤ特徴の特性に近い状態に至らせることになる動作を実行するようにユーザに指示し得る。いくつかの実施例において、動作ロジック２１４は、１つ又は複数の目標場面特徴の特性を対応する最初の場面特徴の特性と比較し得るとともに、特性の間の差異を使用して、動作提案を生成し得る。特に、提案は、場面内の物体の特性を、より目標場面特徴の特性に近い状態に至らせることになる動作を実行するようにユーザ又は画像の被写体に指示し得る。
【０１０９】
動作ロジック２１４は、複数の動作提案のうちのいずれか１つ又は複数を生成し得る。例えば、動作提案は、ＩＣＤ調整値を含み得る。いくつかの実施例において、目標ＩＣＤ特徴とＩＣＤ特徴は、水平座標、垂直座標、及び／又は奥行き座標において異なるかもしれず、そのような実施例において、動作ロジック２１４は、必要に応じて“ムーブ（移動）”又は“ズーム”動作に対する提案を生成し得る。いくつかの実施例において、目標ＩＣＤ特徴とＩＣＤ特徴は、方向性において異なるかもしれず、そのような実施例において、動作ロジック２１４は、必要に応じて“回転”動作に対する提案を生成し得る（例えば、ユーザが“横方向”の方向性よりむしろ“縦方向”の方向性においてＩＣＤ１０４を方向付けることを提案する）。いくつかの実施例において、目標ＩＣＤ特徴とＩＣＤ特徴は、１つ又は複数の色設定値において異なるかもしれず、そのような実施例において、動作ロジック２１４は、“カラーフィルタ”動作に対する提案を生成し得る（例えば、セピア色又は他のカラーフィルタを適用する）。いくつかの実施例において、動作ロジック２１４により生成された動作提案は、ＩＣＤ調整提案に加えて、又はＩＣＤ調整提案の代わりに、場面調整提案を含み得る（例えば、動かすべき物体を指示する、被写体に立ち上がる若しくは座るように指示する、光源の場所が変更されるように指示する）。
【０１１０】
画像キャプチャフィードバックシステム２００は、提案された動作をユーザ又は他の個人又は装置に示し得る。特に、処理ロジック２０２は、インジケータロジック２２０を含み得る。インジケータロジック２２０は、提案ロジック２３８及び出力装置２１８に連結され得るとともに、提案ロジック２３８により生成された動作提案を出力装置２１８によってユーザに示すように構成され得る。いくつかの実施例において、出力装置２１８は、別の装置又は装置インタフェースを含み得るとともに、動作提案は、装置に、提案された動作に従って装置の特性を調整するように指示することになる。例えば、出力装置２１８は、光源インタフェースを含むことができ、提案された動作は、光源インタフェースに連結された光源の動きであるかもしれず、光源は、インジケータロジック２２０からの提案を受け取って処理して、光源インタフェース上で提案された動作を実行し得る。
【０１１１】
いくつかの実施例において、インジケータロジック２２０は、ユーザに対して、可聴の指示、可視の指示、触覚の指示、又は他の指示を生成するように構成され得る。例えば、いくつかの実施例において、出力装置２１８は、オーディオ装置を含み得るとともに、インジケータロジック２２０は、ユーザがＩＣＤ１０４を左又は右に動かすべきであることを示すために、それぞれ、左又は右のスピーカにおける音を生成するように構成され得る。いくつかの実施例において、例えば、出力装置２１８は、“左に移動”、“ズームアウト”、又は“露出を増加”のような、提案された動作に対応する可聴の音声命令を生成し得る。
【０１１２】
いくつかの実施例において、出力装置２１８は、表示装置を含み得るとともに、インジケータロジック２２０は、可視指示を提供することにより、ユーザに動作を示し得る。テキスト（例えば、“カメラを縦方向の方向性に向ける”、“ズームアウト”、“被写体を左に動かす”）、記号、説明図、又は他の可視のインジケータのような、あらゆる適切な可視のインジケータが使用され得る。図１４から図１８は、画像３００を改善するために実行され得る動作を示すためにインジケータロジック２２０により生成され得る、下記で論じられる様々な視覚表示を描写する。これらの表示は、ＩＣＤ１０４により現在見られている画像（例えば、ＩＣＤ１０４のビューファインダを通して見られているか又はデジタル表示装置上に表示されており、ここでは“現在の画像”として参照される）を含み得るとともに、処理ロジック２０２により分析された最初の画像に対応し得る。
【０１１３】
いくつかの実施例において、インジケータロジック２２０は、画像の表示において、もし動作が実行されることができたならば物体が占有するであろう位置に物体の輪郭を表示することにより、動作を示し得る。そのような実施例は、インジケータロジック２２０が、人物３０２が輪郭１４０２と合う（align：そろう）ことになるように、人物の右側に人物３０２が移動するべきであることを示す表示１４００を提供する、図１４において例示される。
【０１１４】
いくつかの実施例において、インジケータロジック２２０は、画像の表示において、もし動作が実行されることができたならば物体が占有するであろう位置に向かう動きを表している、物体に最も近いモーション軌跡を表示することにより、動作を示し得る。そのような実施例は、インジケータロジック２２０が、人物３０２が人物の右側に（モーション軌跡１５０２の方向に）移動するべきであることを示すモーション軌跡１５０２を有する表示１５００を提供する、図１５において例示される。
【０１１５】
いくつかの実施例において、インジケータロジック２２０は、もしユーザが動作を実行することができたならばユーザがＩＣＤ１０４を動かすであろう方向に対応するように選択された、表示の端に、インジケータを表示することにより、動作を示し得る。そのような実施例は、インジケータロジック２２０が、表示１６００の右側にユーザがＩＣＤ１０４を右側に移動するべきであることを示すリップル効果（ripple  effect）１６０２を有する表示１６００を提供する、図１６において例示される。別のそのような実施例は、インジケータロジック２２０が、表示１７００の右側にユーザがＩＣＤ１０４を右側に移動するべきであることを示す矢印１７０２を有する表示１７００を提供する、図１７において例示される。
【０１１６】
いくつかの実施例において、インジケータロジックは、画像の構成を改善するためにユーザが画像内の特徴を合わせるべきである構成テンプレートを、重ね書き（オーバレイ）し得るか、又はそうでなければ示し得る。いくつかの実施例において、この構成テンプレートは、（例えば、構成サブスコアを最大限にする構成テンプレートを発見するための構成ロジック２３４を参照して上記で説明された技術を使用して）動的に選択され得る。構成テンプレートは、現在の画像上の半透明のオーバレイとして提供され得るとともに、キャプチャされるべき場面が変化すると変化し得る。そのような実施例は、構成テンプレート９４６の白い部分を表しているオーバレイ１８０２が表示１８００における現在の画像上に表示され得る図１８において例示される。図１８において示されたように、構成テンプレート９４６の白い部分が、表示１８００において、より暗いオーバレイとして表示されるかもしれず、他の実施例では、構成テンプレートの黒い部分が、表示１８００において、より暗いオーバレイとして表示されるかもしれない。
【０１１７】
いくつかの実施例において、様々な他のオーバレイが、現在の画像の表示上に提供され得る。例えば、いくつかの実施例において、表示は、（図９の構成テンプレート９４６の白い部分により示された、画像上の３×３のグリッドの交点に対応する）黄金比の点のそれぞれにおいて、円を含み得る。これらの円のサイズは、現在の画像における重要な特徴の、関連する交点とのオーバラップの量に比例して調整され得る。現在の画像が変化すると、特徴がこれらの黄金比の点とずれて動くので、これらの円のサイズは、大きくなるか又は小さくなり得る。
【０１１８】
図１９は、静的及び動的の両方の構成ガイダンスを含む表示１９００を描写する。表示１９００は、表示において固定された状態を維持するグリッド１９０２を含み得る。グリッド１９０２の交点は、ユーザが画像内の興味のある物体を合わせたいと思うかもしれない点に対応し得る。表示１９００は、同様に、３次元で表現されるように現れ得るとともに、画像キャプチャフレーム内の場面のサイズを調整するためにユーザが前方又は後方に歩かなければならないことをユーザに示すように、画像キャプチャフィードバックシステム２００により動的に調整され得る、インジケータ１９０４を含み得る。表示１９００は、同様に、ユーザが場面を再構成するためにＩＣＤ１０４を上、下、左、及び／又は右に動かさなければならないことをユーザに示すように、画像キャプチャフィードバックシステム２００により動的に調整され得る、インジケータ１９０６を含み得る。
【０１１９】
図２０は、各種の実施例に従ってＩＣＤ１０４の特性が調整される場合にどのように場面３１６が見え得るかを示すために画像キャプチャフィードバックシステム２００により生成され得る視覚表示２０００を描写する。特に、表示２０００は、現在の画像２００２、及び、ＩＣＤ１０４の１つ若しくは複数の特性が変更される（例えば、ＩＣＤ１０４が異なる場所に動かされるか、又は設定値が調整される）場合の場面３１６を描写する１つ又は複数の代替の画像２００４を含み得る。代替の画像は、図示されたように縦方向のストリップにおいて、横方向のストリップにおいて、又は、あらゆる他の方向において、表示され得る。代替の画像は、（例えば、潜在的な目標画像を生成して評価する場合に）評価ロジック２１６により生成され得るとともに、現在の画像（それは、処理ロジック２０２により処理される最初の画像であり得る）より良いスコアを有する目標モデルに対応する１つ又は複数の目標画像を含み得る。いくつかの実施例において、これらの代替の画像（例えば、代替の画像２００４）は、ユーザにより選択可能であるかもしれず、ユーザの選択に応答して、もしユーザが動作を行ったあとで追加の画像をキャプチャするならば、追加の画像が選択された代替の画像と似ていることになるように、画像キャプチャフィードバックシステム２００は、選択された画像に対応する動作を提案し得る。画像キャプチャフィードバックシステム２００は、上記で説明された技術のうちのいずれかに従ってこの提案を提供し得る。いくつかの実施例において、表示２０００において提供された代替の画像は、現在の画像においてキャプチャされた場面のモデルに基づいて生成されないかもしれないが、しかし、（例えば、メモリ装置２２６における）データベース、又は同様の内容の画像の他の供給源、又は同様の地理的位置においてキャプチャされた画像（例えば、オンラインデータベースにおいて“エッフェル塔”とタグを付けられた全ての写真）から導き出され得る。代替の画像としてこれらの画像を表示２０００の中に含めることは、ユーザにインスピレーションを与えることができ、ユーザは、その場合に、明示された動作提案を受け取ることなく、ＩＣＤ１０４を調整するためにユーザ独自の動作を実行し得る。
【０１２０】
図２１は、様々な実施例による、画像キャプチャフィードバックのための実例となる処理２１００のフローチャートである。処理２１００の動作は、説明のために特定の順序で実行されるように例示されたが、適切であるように、並列に実行され得る。
【０１２１】
実例となる目的のために、処理２１００の動作が、コンピューティングシステム１００において具体化された画像キャプチャフィードバックシステム２００により実行されるように説明され得るが、しかし、処理５００の個々の動作を含む処理２１００の動作は、あらゆる適切に構成されたコンピューティング装置、又はコンピューティング装置の集まりにより実行され得る。処理２１００の動作のうちのいずれもが、ここで説明されたシステム１００及びシステム２００の実施例のうちのいずれかに従って実行され得る。
【０１２２】
処理２１００は、画像キャプチャフィードバックシステム２００（例えば、受信機ロジック２０６）がＩＣＤ１０４から画像を受信し得る動作２１０２において始まり得る。動作２１０４において、画像キャプチャフィードバックシステム２００（例えば、評価ロジック２１６）は、動作２１０２において受信された画像に対するスコアを生成し得る。動作２１０４は、ここで説明されたスコアリング及び／若しくはサブスコアリング技術のあらゆる組み合わせ、又は、あらゆる適切な追加若しくは代替のスコアリング技術に従って実行され得る。動作２１０６において、画像キャプチャフィードバックシステム２００（例えば、提案ロジック２３８）は、動作に対する提案を、もし動作が行われたあとで画像キャプチャ装置が第２の画像をキャプチャするならば、第２の画像に対するスコアが上記画像に対するスコアより良くなるように生成し得る。動作２１０６は、ここで説明された動作提案技術のあらゆる組み合わせ、又は、あらゆる適切な追加若しくは代替の動作提案技術に従って実行され得る。動作２１０８において、画像キャプチャフィードバックシステム２００（例えば、インジケータロジック２２０）は、出力装置２１８によってユーザに動作を示し得る。動作２１０８は、ここで説明された動作指示技術（例えば、図１４から図１９を参照して上記で論じられた動作指示技術）のうちのいずれか、又は、あらゆる適切な追加若しくは代替の動作指示技術に従って実行され得る。処理は、動作２１０２に戻り、（例えば、前の画像を受信したあとで所定の間隔で、又はＩＣＤ１０４におけるユーザ動作若しくは他の変化を検出することに応答して、又は更なるガイダンスに対するユーザの要求に応答して）別の画像を受信し、そしてこの新しく受信された画像を次の画像として処理することにより、継続し得る。ユーザが画像キャプチャアプリケーションを作動させるか、又は、画像キャプチャフィードバックシステム２００がガイダンスを提供するようにユーザが望むことをユーザが示す限り、処理２１００は繰り返し得る。したがって、本開示のいくつかの実施例において、画像キャプチャフィードバックシステム２００は、ＩＣＤ１０４によりキャプチャされた各画像を自動的に評価し得るとともに、キャプチャされた画像を改善するために行うべき動作に関するリアルタイムのフィードバックをユーザに与え得る。
【０１２３】
本開示の実施例の複数の実例が下記で列挙される。
【０１２４】
実例１は、画像キャプチャフィードバックのためのシステムであって、画像キャプチャ装置から画像を受信するための受信機ロジックと、上記受信機ロジックに接続された、上記画像に対するスコアを生成するための評価ロジックと、上記評価ロジックに接続された、動作に対する提案を、もし上記動作が行われたあとで上記画像キャプチャ装置が第２の画像をキャプチャするならば、上記第２の画像に対する上記スコアが上記画像に対する上記スコアより良くなるように生成するための提案ロジックと、上記提案ロジック及び出力装置に接続された、上記出力装置に上記動作に対する上記提案を示すためのインジケータロジックとを含む、システムである。
【０１２５】
実例２は、実例１の主題を含み得るとともに、上記評価ロジックが、上記受信機ロジックに接続された、上記画像を処理して上記画像を代表するモデルを生成するためのモデルロジックであって、上記モデルが上記画像内の複数の位置における複数の特徴を含む、上記モデルロジックと、上記画像に対する上記スコアを生成するために、スコアリング測定基準を上記モデルに適用するためのスコアリングロジックとを更に含む、ということを更に特定し得る。
【０１２６】
実例３は、実例２の主題を含み得るとともに、上記画像キャプチャ装置が奥行きカメラであり、複数の位置における上記複数の特徴が、上記画像内の異なる奥行きに位置付けられた特徴を含む、ということを更に特定し得る。
【０１２７】
実例４は、実例３の主題を含み得るとともに、上記奥行きカメラが異種カメラアレイを含む、ということを更に特定し得る。
【０１２８】
実例５は、実例３の主題を含み得るとともに、上記評価ロジックが各特徴に対する局所背景サリエンスを生成するためのものであり、上記画像に対する上記スコアが、少なくとも１つの局所背景サリエンスに少なくとも部分的に基づいている、ということを更に特定し得る。
【０１２９】
実例６は、実例３から実例５のいずれかの主題を含み得るとともに、上記評価ロジックが各特徴の局所エリアと各特徴の局所背景エリアとの間の色相補性分析を実行するためのものであり、上記画像に対する上記スコアが、少なくとも１つの色相補性に少なくとも部分的に基づいている、ということを更に特定し得る。
【０１３０】
実例７は、実例２から実例６のいずれかの主題を含み得るとともに、上記複数の特徴が、上記画像において識別された顔又は身体を含む、ということを更に特定し得る。
【０１３１】
実例８は、実例２から実例７のいずれかの主題を含み得るとともに、上記画像キャプチャ装置が奥行きカメラであり、上記複数の特徴が、上記画像内の複数の奥行きにおけるリージョンの重心を含む、ということを更に特定し得る。
【０１３２】
実例９は、実例１から実例８のいずれかの主題を含み得るとともに、上記評価ロジックが上記画像を１つ又は複数の構成テンプレートと比較するためのものであり、上記画像に対する上記スコアが、上記比較に少なくとも部分的に基づいている、ということを更に特定し得る。
【０１３３】
実例１０は、実例９の主題を含み得るとともに、上記画像に対する上記スコアが、上記画像と上記画像に最も似ている上記構成テンプレートとの間の上記比較に少なくとも部分的に基づいている、ということを更に特定し得る。
【０１３４】
実例１１は、実例９から実例１０のいずれかの主題を含み得るとともに、上記１つ又は複数の構成テンプレートが、ユーザに選択された構成テンプレートを含む、ということを更に特定し得る。
【０１３５】
実例１２は、実例２から実例１１のいずれかの主題を含み得るとともに、上記提案ロジックが、上記評価ロジックに接続された、上記画像に対する上記スコアより良いスコアを有する目標モデルを生成するための候補ロジックと、上記候補ロジックに接続された、上記モデルと上記目標モデルとの間の差異に基づいて上記動作を生成するための動作ロジックとを含む、ということを更に特定し得る。
【０１３６】
実例１３は、実例１から実例１２のいずれかの主題を含み得るとともに、上記出力装置が表示装置であり、上記インジケータロジックが、物体の輪郭を、もし上記動作が実行されたならば上記物体が占有するであろう位置における上記画像の表示に表示することにより、上記動作に対する上記提案を示すためのものである、ということを更に特定し得る。
【０１３７】
実例１４は、実例１から実例１３のいずれかの主題を含み得るとともに、上記出力装置が表示装置であり、上記インジケータロジックが、物体に近接して、もし上記動作が実行されたならば上記物体が占有するであろう位置に向かう運動を表しているモーション軌跡を上記画像の表示に表示することにより、上記動作に対する上記提案を示すためのものである、ということを更に特定し得る。
【０１３８】
実例１５は、実例１から実例１４のいずれかの主題を含み得るとともに、上記出力装置が表示装置であり、上記インジケータロジックが、もし上記動作が実行されたならば上記画像キャプチャ装置が移動するであろう方向に対応するように選択された、上記表示の端に、インジケータを表示することにより、上記動作に対する上記提案を示すためのものである、ということを更に特定し得る。
【０１３９】
実例１６は、コンピューティング装置により実施される画像キャプチャフィードバックのための方法であって、画像キャプチャ装置から画像を受信するステップと、上記画像に対するスコアを生成するステップと、動作に対する提案を、もし上記動作が行われたあとで上記画像キャプチャ装置が第２の画像をキャプチャするならば、上記第２の画像に対する上記スコアが上記画像に対する上記スコアより良くなるように生成するステップと、出力装置に上記動作に対する上記提案を示すステップとを含む、方法である。
【０１４０】
実例１７は、実例１６の主題を含み得るとともに、上記画像に対するスコアを生成するステップが、上記画像を処理して上記画像を代表するモデルを生成するステップであって、上記モデルが上記画像内の複数の位置における複数の特徴を含む、ステップと、上記画像に対する上記スコアを生成するために、スコアリング測定基準を上記モデルに適用するステップとを含む、ということを更に特定し得る。
【０１４１】
実例１８は、実例１７の主題を含み得るとともに、上記画像キャプチャ装置が奥行きカメラであり、複数の位置における上記複数の特徴が、上記画像内の異なる奥行きに位置付けられた特徴を含む、ということを更に特定し得る。
【０１４２】
実例１９は、実例１８の主題を含み得るとともに、上記奥行きカメラが異種カメラアレイを含む、ということを更に特定し得る。
【０１４３】
実例２０は、実例１８の主題を含み得るとともに、上記画像に対するスコアを生成するステップが、各特徴に対する局所背景サリエンスを生成するステップを含み、上記画像に対する上記スコアが、少なくとも１つの局所背景サリエンスに少なくとも部分的に基づいている、ということを更に特定し得る。
【０１４４】
実例２１は、実例１８の主題を含み得るとともに、上記画像に対するスコアを生成するステップが、各特徴の局所エリアと各特徴の局所背景エリアとの間の色相補性を生成するステップを含み、上記画像に対する上記スコアが、少なくとも１つの色相補性に少なくとも部分的に基づいている、ということを更に特定し得る。
【０１４５】
実例２２は、実例１７の主題を含み得るとともに、上記複数の特徴が、上記画像において識別された顔又は身体を含む、ということを更に特定し得る。
【０１４６】
実例２３は、実例１７の主題を含み得るとともに、上記画像キャプチャ装置が奥行きカメラであり、上記複数の特徴が、上記画像内の複数の奥行きにおけるリージョンの重心を含む、ということを更に特定し得る。
【０１４７】
実例２４は、実例１６の主題を含み得るとともに、上記画像に対するスコアを生成するステップが、上記画像を１つ又は複数の構成テンプレートと比較するステップを含み、上記画像に対する上記スコアが、上記比較に少なくとも部分的に基づいている、ということを更に特定し得る。
【０１４８】
実例２５は、実例２４の主題を含み得るとともに、上記画像に対する上記スコアが、上記画像と上記画像に最も似ている上記構成テンプレートとの間の上記比較に少なくとも部分的に基づいている、ということを更に特定し得る。
【０１４９】
実例２６は、実例２４の主題を含み得るとともに、上記１つ又は複数の構成テンプレートが、ユーザに選択された構成テンプレートを含む、ということを更に特定し得る。
【０１５０】
実例２７は、実例１７の主題を含み得るとともに、動作に対する提案を生成するステップが、上記画像に対する上記スコアより良いスコアを有する目標モデルを識別するステップと、上記モデルと上記目標モデルとの間の差異を識別するステップと、上記モデルと上記目標モデルとの間の上記の識別された差異に基づいて動作を生成するステップとを含む、ということを更に特定し得る。
【０１５１】
実例２８は、実例１６の主題を含み得るとともに、上記出力装置が表示装置であり、上記動作に対する上記提案を示すステップが、物体の輪郭を、もし上記動作が実行されたならば上記物体が占有するであろう位置における上記画像の表示に表示するステップを含む、ということを更に特定し得る。
【０１５２】
実例２９は、実例１６の主題を含み得るとともに、上記出力装置が表示装置であり、上記動作に対する上記提案を示すステップが、物体に近接して、もし上記動作が実行されたならば上記物体が占有するであろう位置に向かう運動を表しているモーション軌跡を上記画像の表示に表示するステップを含む、ということを更に特定し得る。
【０１５３】
実例３０は、実例１６の主題を含み得るとともに、上記出力装置が表示装置であり、上記動作を示すステップが、もし上記動作が実行されたならば上記画像キャプチャ装置が移動するであろう方向に対応するように選択された、上記表示の端に、インジケータを表示するステップを含む、ということを更に特定し得る。
【０１５４】
実例３１は、コンピューティング装置の１つ又は複数の処理装置により実行される場合に、上記コンピューティング装置に実例１６から実例３０のいずれかに記載の方法を実行させる命令を有する１つ又は複数のコンピュータ読み取り可能な媒体である。
【０１５５】
実例３２は、システムであって、１つ又は複数の処理装置と、上記１つ又は複数の処理装置により実行される場合に、上記装置に実例１６から実例３０のいずれかに記載の方法を実行させる命令を有する１つ又は複数のコンピュータ読み取り可能な媒体とを含む、システムである。
【０１５６】
実例３３は、画像キャプチャフィードバックのためのシステムであって、画像キャプチャ装置から画像を受信するための手段と、上記画像に対するスコアを生成するための手段と、動作に対する提案を、もし上記動作が行われたあとで上記画像キャプチャ装置が第２の画像をキャプチャするならば、上記第２の画像に対する上記スコアが上記画像に対する上記スコアより良くなるように生成するための手段と、出力装置に上記動作に対する上記提案を示すための手段とを備える、システムである。
【０１５７】
実例３４は、実例３３の主題を含み得るとともに、上記画像に対するスコアを生成するための上記手段が、上記画像を処理して上記画像を代表するモデルを生成するための手段であって、上記モデルが上記画像内の複数の位置における複数の特徴を含む、手段と、上記画像に対する上記スコアを生成するために、スコアリング測定基準を上記モデルに適用するための手段とを含む、ということを更に特定し得る。
【０１５８】
実例３５は、実例１６から実例３０のいずれかに記載の方法を実行するための手段を含む画像キャプチャフィードバックのためのシステムである。
【０１５９】
特定の実施例がここで例示されて説明されたが、同じ目的を達成するように意図された多種多様な代替の及び／若しくは同等の実施例又は実装例が、有効範囲からはずれずに、示されて説明された実施例の代用にされ得る、ということが当業者により認識されることになる。当業者は、実施例が非常に多種多様な方法で実施され得る、ということを容易に認識するであろう。この出願は、ここで論じられた実施例のあらゆる適応又は変形をカバーすることを意図している。
【図１】
2016537912.tif 000019
【図２】
2016537912.tif 000020
【図３】
2016537912.tif 000021
【図４】
2016537912.tif 000022
【図５】
2016537912.tif 000023
【図６】
2016537912.tif 000024
【図７】
2016537912.tif 000025
【図８】
2016537912.tif 000026
【図９】
2016537912.tif 000027
【図１０】
2016537912.tif 000028
【図１１】
2016537912.tif 000029
【図１２】
2016537912.tif 000030
【図１３】
2016537912.tif 000031
【図１４】
2016537912.tif 000032
【図１５】
2016537912.tif 000033
【図１６】
2016537912.tif 000034
【図１７】
2016537912.tif 000035
【図１８】
2016537912.tif 000036
【図１９】
2016537912.tif 000037
【図２０】
2016537912.tif 000038
【図２１】
2016537912.tif 000039
【国際調査報告】
2016537912.tif 000040
2016537912.tif 000041